(57)【要約】  プルオン構成における吸収性物品。本物品は、前側腰部区域及び背側腰部区域のうちの１つに付着されている少なくとも１つの弾性的延伸性サイドパネルと、再締結可能な締結装置と、を含み、係合部材の長手方向長さは、サイドパネルの長手方向長さより短い。再締結可能なパンツの形態で本物品を作製する方法。
2013517105.tif 000002
【特許請求の範囲】
【請求項１】
前側腰部区域と、
背側腰部区域と、
前記前側腰部区域と前記背側腰部区域との間に配置された股区域と、
前記前側腰部区域及び前記背側腰部区域のうちの１つに付着された、少なくとも１つの弾性的延伸性サイドパネルと、
再締結可能な締結装置と、を備え、前記再締結可能な締結装置は、
係合部材と、
ランディング部材と、を含み、
前記係合部材は、前記吸収性物品がプルオン構成にあるように、前記ランディング部材に解放可能に付着されており、
前記係合部材の長手方向長さは、前記少なくとも１つの弾性的延伸性サイドパネルの長手方向長さより実質的に短い、吸収性物品。
【請求項２】
前記少なくとも１つの弾性的延伸性サイドパネルは、前記前側腰部区域に付着されており、
前記係合部材は、前記少なくとも１つの弾性的延伸性サイドパネルに付着されている、請求項１に記載の吸収性物品。
【請求項３】
前記少なくとも１つの弾性的延伸性サイドパネルは、着用者に面する表面と衣類に面する表面とを有し、
前記係合部材は、前記着用者に面する表面及び衣類に面する表面のうちの１つに付着されている、請求項１又は２に記載の吸収性物品。
【請求項４】
前記少なくとも１つの弾性的延伸性サイドパネルは、前記背側腰部区域に付着されており、
前記係合部材は、前記少なくとも１つの弾性的延伸性サイドパネルに付着されている、請求項１〜３のいずれか一項に記載の吸収性物品。
【請求項５】
前記少なくとも１つの弾性的延伸性サイドパネルは、着用者に面する表面と衣類に面する表面とを有しており、
前記係合部材は、前記着用者に面する表面及び衣類に面する表面のうちの１つに付着されている、請求項４に記載の吸収性物品。
【請求項６】
前記吸収性物品は、収容領域を更に備え、
前記係合部材及び前記ランディング部材のうちの少なくとも１つが、前記収容領域に付着されている、請求項１〜５のいずれか一項に記載の吸収性物品。
【請求項７】
前記収容領域は、着用者に面する表面と衣類に面する表面とを有し、
前記係合部材は、前記着用者に面する表面及び衣類に面する表面のうちの１つに付着されている、請求項６に記載の吸収性物品。
【請求項８】
少なくとも１つの第１の締結部材を、複数個の相互接続されたサイドパネルを含むウェブに付着する工程と、
少なくとも１つの第２の締結部材を、複数個の相互接続されたバックシートを含むウェブに付着する工程と、
横方向に対向する１対のエラストマー性サイドパネルを、前記バックシートの前記横方向に対向する側縁部にある又は当該側縁部に隣接した前記相互接続されたバックシートのウェブに付着する工程と、
吸収性収容アセンブリを形成するように、バックシート、トップシート、及び吸収性コアを組み合わせ、前記吸収性コアが、前記バックシートとトップシートとの間に配置される工程と、
前記相互接続された吸収性物品の連続したウェブを切断し、それによって、複数の分離した吸収性物品を形成する工程と、
前記前側腰部区域の内面を前記後側腰部区域の内面と接触させながら、前記分離した吸収性物品を横方向中心線に沿って折り畳む工程と、
前記サイドパネルを横方向に内向きに折り畳み、前記少なくとも１つの第１の締結部材を前記少なくとも１つの第２の締結部材に接触させ、それによって、前記第１及び第２の締結部材を係合させて、再締結可能なパンツを形成する工程と、を備えた、再締結可能なパンツの形態の吸収性物品を作製する方法。
【発明の詳細な説明】
【技術分野】
【０００１】
本開示は、概して、吸収性物品に関し、より具体的には、１つ以上のエラストマー性パネルと、おむつが着用者にどのように適合するかに関して使用者に異なる選択肢を提供する締結装置と、を有する、吸収性物品に関する。
【背景技術】
【０００２】
乳幼児、及び失禁症状のあるその他の個人は、尿及び他の身体排出物を受容及び収容する吸収性物品（おむつなど）を着用する。吸収性物品は、排泄された物質を収容することと、この物質を着用者の身体から、並びに着用者の衣類及び寝具から隔離することと、の双方の機能を果たす。しかしながら、現在市場にある吸収性物品の多くは、狭い範囲の着用者寸法だけに適合することが可能であり、したがって、消費者は、着用者に快適及び効果的に適合するおむつを判断するために、着用者の寸法を継続的に監視しなければならない。その上、ほとんどの市販されているおむつは、「テープ式」おむつ又は「プルオン」おむつなど、１つの構成でのみ効果的に使用可能であるという点で限定され、他のおむつタイプのいずれかに起因する利益が一切ない。このため、消費者は、意図される使用に望まれる特徴に応じて、異なるおむつを購入しなければならない。その上、広範囲の着用者に適合しようとすると、これまでのおむつの設計（従来のテープ式おむつ及びプルオンおむつの双方）は一般に、小柄な着用者の排泄物を収容するには緩く、効果がない一方、大柄な着用者には、非常にきつく、不快で、生じる動的外力に耐えることが不可能である。多くのプルオン設計は、おむつ、またしばしば着用者の衣服を脱がせることなく、おむつの汚れを確認するための一切の手段に欠ける。同様に、プルオン設計は一般に、おむつの１つ以上の要素（一般にシーム）を破る必要なく、汚れたおむつを脱がせるための一切の手段に欠け、汚れを確認するとおむつが無用になり得る。おむつの設計は、おむつが着用者に適合するように組み立てられる場合がある、少なくとも２つの方式を効果的及び快適に提供するおむつを提供することが不可能であった。
【発明の概要】
【発明が解決しようとする課題】
【０００３】
必要とされているのは、上記に対する改善である。
【課題を解決するための手段】
【０００４】
ある非限定的実施形態において、本開示は、部分的に、前側腰部区域と、背側腰部区域と、腰部区域と背側腰部区域との間に配置された股区域と、を含む、吸収性物品に関する。一実施形態において、吸収性物品は、前側腰部区域及び背側腰部区域のうちの１つに付着された、少なくとも１つの弾性的延伸性サイドパネルと、再締結可能な締結装置と、を更に含む。再締結可能な締結装置は、係合部材と、ランディング部材と、を含む場合がある。様々な実施形態によると、係合部材は、吸収性物品がプルオン構成にあるように、ランディング部材に解放可能に付着されており、係合部材の長手方向長さは、少なくとも１つの弾性的延伸性サイドパネルの長手方向長さより実質的に短い。
【０００５】
一実施形態によると、少なくとも１つの弾性的延伸性サイドパネルは、前側腰部区域に付着されており、係合部材は、少なくとも１つの弾性的延伸性サイドパネルに付着されている。一実施形態において、少なくとも１つの弾性的延伸性サイドパネルは、着用者に面する表面と衣類に面する表面とを有し、係合部材は、着用者に面する表面及び衣類に面する表面のうちの１つに付着されている。
【０００６】
一実施形態によると、少なくとも１つの弾性的延伸性サイドパネルは、背側腰部区域に付着されており、係合部材は、少なくとも１つの弾性的延伸性サイドパネルに付着されている。一実施形態において、少なくとも１つの弾性的延伸性サイドパネルは、着用者に面する表面と衣類に面する表面とを有しており、係合部材は、着用者に面する表面及び衣類に面する表面のうちの１つに付着されている。
【０００７】
一実施形態によると、吸収性物品は、収容アセンブリを備え、係合部材及びランディング部材のうちの少なくとも１つは、収容アセンブリに付着されている。一実施形態において、収容アセンブリは、着用者に面する表面と衣類に面する表面とを有しており、係合部材は、着用者に面する表面及び衣類に面する表面のうちの１つに付着されている。
【０００８】
別の非限定的実施形態において、本開示は、部分的に、前側腰部区域と、背側腰部区域と、前側腰部区域と背側腰部区域との間に配置された股区域と、前側腰部区域及び背側腰部区域のうちの１つに配置された、１対の横方向に離間したサイドパネルと、を含む吸収性物品に関する。１対の横方向に離間したサイドパネルは、それぞれのサイドパネルの表面のうちの１つ上にランディング部材を含むことができる。吸収性物品は、係合部材も含む場合があり、係合部材は、吸収性物品がプルオン構成であるように、ランディング部材に解放可能に付着されており、係合部材の長手方向長さは、少なくとも１つの弾性的延伸性サイドパネルの長手方向長さより実質的に短い。
【０００９】
一実施形態によると、ランディング部材は、それぞれのサイドパネルの表面上に配置される。一実施形態によると、ランディング部材は、それぞれのサイドパネルの表面上に配置される。一実施形態によると、ランディング部材は、それぞれのサイドパネルの表面の一部分を形成する。
【図面の簡単な説明】
【００１０】
本発明の上記の及び他の特徴と利点、並びにそれらを達成する様式は、添付の図面と関連してなされる本開示の非限定的な実施形態の以下の説明を参照することにより、より明らかとなり、また本開示自体がより理解されよう。
図面及び記載の説明において、参照番号に付した小文字はほぼ対称である要素を示し、例えば、左及び右の対称的な要素はそれぞれ、参照番号１ａ及び１ｂにより特定され得る。小文字が付されていない参照番号は、特定の参照番号に該当する要素の全てを特定する。
【図１】ある非限定的な実施形態による、吸収性物品の４つのサイドパネルの実施形態の平面図。吸収性物品の外面が読者に面している。
【図２】ある非限定的な実施形態による、吸収性物品の２つのサイドパネルの実施形態の平面図。吸収性物品の外面が読者に面している。
【図３】ある非限定的な実施形態による、吸収性物品の４つのサイドパネルの実施形態の平面図。吸収性物品の外面が読者に面している。
【図４】非限定的な実施形態による、プルオン構成の吸収性物品の斜視図。
【図５】非限定的な実施形態による、プルオン構成の吸収性物品の斜視図。
【図６Ａ】様々な非限定的な実施形態による、サイドパネルの部分図。
【図６Ｂ】様々な非限定的な実施形態による、サイドパネルの部分図。
【図６Ｃ】様々な非限定的な実施形態による、サイドパネルの部分図。
【図６Ｄ】様々な非限定的な実施形態による、サイドパネルの部分図。
【図６Ｅ】様々な非限定的な実施形態による、サイドパネルの部分図。
【図７】ある非限定的な実施形態による、解放式結合を備える吸収性物品の部分図。
【図８】ある非限定的な実施形態による、力分散部分を備える吸収性物品の部分図。
【図９】ある非限定的な実施形態による、吸収性物品の部分図。
【図１０】ある非限定的な実施形態による、調整式腰部輪状周囲を備える吸収性物品の部分図。
【図１１Ａ】ある非限定的な実施形態による、永久的シーム及び再締結可能なフラップを備える吸収性物品の経過。
【図１１Ｂ】ある非限定的な実施形態による、永久的シーム及び再締結可能なフラップを備える吸収性物品の経過。
【図１１Ｃ】ある非限定的な実施形態による、永久的シーム及び再締結可能なフラップを備える吸収性物品の経過。
【図１２Ａ】サイドパネル及びそこに接合した係合部材の様々な実施形態の部分図。
【図１２Ｂ】サイドパネル及びそこに接合した係合部材の様々な実施形態の部分図。
【図１２Ｃ】サイドパネル及びそこに接合した係合部材の様々な実施形態の部分図。
【図１３Ａ】そこに係合部材を接合する様々な結合パターンを備えるサイドパネルの様々な実施形態の部分図。
【図１３Ｂ】そこに係合部材を接合する様々な結合パターンを備えるサイドパネルの様々な実施形態の部分図。
【図１３Ｃ】そこに係合部材を接合する様々な結合パターンを備えるサイドパネルの様々な実施形態の部分図。
【図１４】様々な非限定的な実施形態による、本開示の吸収性物品を作製するために使用される機器の概略図。
【発明を実施するための形態】
【００１１】
本明細書に開示される装置及び方法の構造、機能、製造、並びに使用の原理について、総合的な理解を提供するために、本開示の様々な非限定的な実施形態を以後記載する。これらの非限定的な実施形態の１つ以上の実施例を添付の図面に示す。本明細書で詳細に説明し、添付の図面に示される装置及び方法は、非限定的な例の実施形態であり、本開示の様々な非限定的な実施形態の範囲は、特許請求の範囲によってのみ定義されることが、当業者には理解されよう。１つの非限定的な実施形態に関して示される、又は述べられる特徴は、他の非限定的な実施形態の特徴と組み合わせてもよい。そのような修正及び変形は、本開示の範囲に含まれることが意図される。
【００１２】
本明細書において、次の用語は、次の意味を有する。
【００１３】
用語「吸収性物品」は、着用者の身体に接して、又は近接して設置され、身体から排泄された様々な排出物を吸収し、収容する装置を意味する。代表的な吸収性物品としては、おむつ、トレーニングパンツ、プルオンパンツ型おむつ（即ち、米国特許第６，１２０，４８７号に示されているような予め形成された腰部開口部及び脚部開口部を有するおむつ）、再締結可能なおむつ、失禁用ブリーフ及び下着、おむつホルダ及びライナー、女性用生理衣類、並びに関連物品が挙げられる。
【００１４】
用語「使い捨て」は、洗濯ないしは別の方法で吸収性物品として復元若しくは再利用されることを一般に意図しない吸収性物品、すなわち、一回の使用後に廃棄する、及びリサイクルする、堆肥化する、ないしは別の方法で環境に適合する様式で使い捨てすることを意図する吸収性物品の性質を意味する。
【００１５】
用語「おむつ」は、一般に幼児及び失禁症状のある人々が着用し、着用者の胴体下部の周囲に着用される吸収性物品を意味する。しかしながら、本開示は、失禁用ブリーフ、失禁用下着、おむつホルダ及びライナー、女性用生理衣類、トレーニングパンツなどの他の吸収性物品にも応用可能であることが理解されるべきである。
【００１６】
用語「接合した」は、ある要素を他の要素に直接固着することによって、その要素が他の要素に直接固定される構成、及びある要素を中間部材（１つ又は複数）に固着し、それを他の要素に固着することによって、その要素が他の要素に間接的に固定される構成を包含する。
【００１７】
用語「伸縮性」は、材料に力が印加されると延伸性があり、延伸に対して何らかの抵抗力を見せる材料を意味する。
【００１８】
「一体型」吸収性物品とは、共に一体化された独立した部分から形成されて協調的統一体を形成し、独立したホルダライナーのような独立した操作部分を必要としない吸収性物品を意味する。吸収性物品の実施形態は、図１に示される、使い捨て吸収性物品、即ち、おむつ２０である。
【００１９】
消費者は、所望の選択肢、快適性及び費用に応じて、従来のおむつ、ベルト式おむつ、及び「プルオン」型おむつ又はトレーニングパンツを含めて、選択する複数の異なる基本的なおむつ設計を有する。テープ式おむつなどの従来のおむつ設計は、一般に、購入が比較的安価な種類の吸収性物品であり、一般に、乳児及び病気又はその他病床にある人の使用に許容可能である。従来のおむつは、まずおむつの一部分を着用者の下に置き（一般におむつの後側部分が着用者の臀部及び背側腰部の下に置かれる）、次いで、おむつの残り部分を着用者の脚を通して引っ張ることによって、着用者に適合される。おむつの背側部分は、次いで、着用者のそれぞれの横腹でおむつの前側部分に付着されている。しかしながら、このような従来の構成は、着用者が適用の期間中静止したままであることを拒む場合、使用が非常に困難になりがちである。その上、成人の着用者及びトイレトレーニング段階の幼児では、しばしば、従来型の吸収性物品を手助けなく自分で着用することは困難である。
【００２０】
「プルオン」設計の吸収性物品は、しばしば、トレーニングパンツ及び失禁用ブリーフにおいて使用される。「プルオン」設計は、着用者が吸収性物品をパンツのように引っ張ることが可能であり、従来又はベルト型の吸収性物品設計の締結工程のいずれをも必要としない。この機能は、多数の成人使用者及びトイレトレーニング段階の幼児には望ましいが、「プルオン」設計は、多数の使用者、特に、病床にある者及び自分自身で装着不可能な乳児では非実用的な場合がある。プルオン吸収性物品は一般に、おむつ及び着用者の衣類を脱がせることなく、おむつをつけたり、はずしたり又は汚れを確認したりすることを可能にする一切の機能に欠ける。その上、そのような物品はしばしば、物品の手軽な衛生的処理を可能にする機能に欠ける。
【００２１】
様々な実施形態において、本開示は概して、従来のおむつの利益と「プルオン」型おむつの利益を組み合わせる。更に、本開示のおむつは、広範囲の着用者の寸法に快適及び効果的に適合することができる。これらの固有の特徴は、特殊なパネル及び締結要素の革新的な協調によって提供される。サイドパネル及び締結要素は協働して、本開示の機能のうちの幾つかを提供しようとする以前の試みにおいて遭遇した問題を解決する。例えば、様々な実施形態は、広範囲の従来及びプルオン構成に適合することができ、小柄な着用者に適合される際にぴったりした適合とともに、はるかに大柄な着用者にぴったりした快適な適合を提供するサイドパネルの能力に起因して、優れた収容及び快適性の特徴を提供する。再締結可能な締結装置は、着用者の運動により生じる動的外力に耐えることができる強力な閉鎖を提供するが、作用は一般に、着用者の寸法及び年齢に応じて異なる。
【００２２】
その上、様々な実施形態において、おむつの構造設計は、おむつをプルオンとして使用する機会を使用者に提供する。サイドパネルは、広範囲の着用者に効果的に適応するために必要な伸縮性、並びにプルオンおむつとして容易に適用するために必要な伸縮性を提供する。ここでも、締結装置はサイドパネルを補強して、強力な閉鎖を提供し、しかもおむつを着用者の臀部上から引き下げるのではなく、閉鎖部を開くことによって、プルオンおむつをはずすための手段も提供する。この構成によって、例えば、靴などの着用者の衣類を脱がせる必要なく、汚れたおむつをはずすことがはるかに迅速及び清潔になる。その上、再締結可能な締結装置は、おむつを完全にはずすのではなく、閉鎖部のうちの１つ以上を開くことによって、おむつの汚れを確認する能力をプルオン型使用者に提供する。また、本発明の吸収性物品は、汚れた物品の処理のために手軽な衛生的手段を提供する、廃棄機能（しばしば、締結装置）を用いて容易に構成することができる。
【００２３】
このように、本開示は、部分的に、吸収性物品が従来及び「プルオン」双方の構成に適合することを可能にするように設計された再締結可能な締結装置及び伸縮性サイドパネルを有する吸収性物品を教示する。加えて、様々な実施形態において、従来又はプルオンいずれかの構成において、広範囲の着用者の寸法に効果的及び快適に適合する、吸収性物品が開示される。
【００２４】
図１は、おむつ２０の一実施形態の平面図で、その平坦な非収縮状態（即ち、弾性誘導収縮が引き出された状態）にあり、着用者から遠くに面するおむつ２０の部分、つまり、衣服に面する表面４０が、読者に面している。図１に示されるように、おむつ２０は、液体透過性トップシート２４と、トップシートに接合した液体不透過性バックシート２６と、トップシート２４とバックシート２６との間に位置する吸収性コア２８と、を備える、収容アセンブリ２２を備える場合がある。おむつ２０は、弾性化したレグカフ３２と、腰部機構３４と、第１の閉鎖部材３０、第２の閉鎖部材３１、及び少なくとも１つの第３の閉鎖部材３３を備える締結装置２００と、を更に備える場合がある。
【００２５】
おむつ２０は、図１〜３において、衣服に面する表面４０（読者に面する）と、衣服に面する表面４０に対向する身体に面する表面４２と、背側腰部区域４４と、背側腰部区域４４に長手方向に対向する前側腰部区域４６と、背側腰部区域４４と前側腰部区域４６との間に位置する股区域４８と、おむつ２０の外周又は縁によって画定される周辺部と、を有するように示され、長手方向に延びる横方向に対向する側縁部が５０で示され、横方向に延びる長手方向に対向する端縁部が５２で示される。おむつ２０の身体に面する表面４２は、使用中に着用者の身体に隣接して位置するおむつ２０の部分を含む（即ち、身体に面する表面４２は、一般にトップシート２４の少なくとも一部分及びトップシート２４に接合された他の部材により形成される）。衣類に面する表面４０は、おむつ２０の、着用者の身体から離れて位置する部分を含む（即ち、衣類に面する表面４０は一般に、バックシート２６の少なくとも一部分及びバックシート２６に接合された他の部材によって形成される）。背側腰部区域４４及び前側腰部区域４６は、周辺部の端縁部５２から股区域４８まで延びる。
【００２６】
おむつ２０は、２つの中心線、即ち長手方向中心線１００及び横断方向中心線１０２も有する。用語「長手方向」は、本明細書で使用される場合、縦方向におけるおむつの長さに関連する方向を意味する。長手方向中心線１００、又は長手方向軸線は一般に、おむつ２０の前側腰部領域４６の縁部５２の中点から、おむつ２０の背側腰部領域４４の腰部縁部５２の中点まで延びる。用語「横断」及び「横方向」は、本明細書で使用される場合、機械横方向におけるおむつ２０の幅に関連する方向を指し、これと同義である。横方向中心線１０２、又は横方向軸線は一般に、おむつの側縁部５０のうちの１つの中点から、おむつ２０の横方向に対向する側縁部５０の中点まで延びる。
【００２７】
おむつ２０の収容アセンブリ２２は、図１において、おむつ２０の中心部分（シャーシ）を含むとして示される。収容アセンブリ２２は、少なくとも吸収性コア２８を含み、トップシート２４及びバックシート２６をそれぞれ含む内側及び外側カバー層を含む場合がある。一体型吸収性物品の場合、収容アセンブリ２２は、例えば、サイドパネルなどの他の機能を用いて、複合おむつ構造を形成するように接合されてもよい、おむつの中心部分を含む場合がある。このように、おむつ２０のための収容アセンブリ２２は一般に、トップシート２４と、バックシート２６と、吸収性コア２８と、を含む。
【００２８】
一実施形態において、収容アセンブリ２２は、吸収性コア２８よりも一般に大きい長さ及び幅寸法を有する、トップシート２４とバックシート２６とを含む。トップシート２４及びバックシート２６は、吸収性コア２８の縁部を越えて延びて、それによっておむつ２０の周辺部の一部分を形成する。トップシート２４、バックシート２６、及び吸収性コア２８は、多様な既知の構成で組み立てられてもよく、代表的な収容アセンブリ構成は一般に、米国特許第３，８６０，００３号、名称「Ｃｏｎｔｒａｃｔｉｂｌｅ  Ｓｉｄｅ  Ｐｏｒｔｉｏｎｓ  ｆｏｒ  Ｄｉｓｐｏｓａｂｌｅ  Ｄｉａｐｅｒ」（１９７５年１月１４日にＫｅｎｎｅｔｈ  Ｂ．Ｂｕｅｌｌに発行）及び米国特許第５，１５１，０９２号、名称「Ａｂｓｏｒｂｅｎｔ  Ａｒｔｉｃｌｅ  Ｗｉｔｈ  Ｄｙｎａｍｉｃ  Ｅｌａｓｔｉｃ  Ｗａｉｓｔ  Ｆｅａｔｕｒｅ  Ｈａｖｉｎｇ  Ａ  Ｐｒｅｄｉｓｐｏｓｅｄ  Ｒｅｓｉｌｉｅｎｔ  Ｆｌｅｘｕｒａｌ  Ｈｉｎｇｅ」（１９９２年９月２９日にＫｅｎｎｅｔｈ  Ｂ．Ｂｕｅｌｌらに発行）に記載され、それぞれ参照により本明細書に組み込まれる。
【００２９】
吸収性コア２８は、概して、圧縮性で、適合性があり、着用者の皮膚を刺激せず、尿及び他の身体排出物などの液体を吸収し保持することが可能な任意の吸収部材であってもよい。図１〜３に示されるように、吸収性コア２８は、衣類に面する側部５４と、身体に面する側部５６と、５８で指定された１対の側縁部と、６０で指定された１対の腰縁部と、を有する。おむつ２０の一実施形態は、前側腰部区域４６の中に耳を有するが、背側腰部区域４４では概して矩形形状である、非対称の変形Ｔ字状の吸収性コア２８を有する。しかしながら、吸収性コア２８は、広範囲の寸法及び形状（例えば、矩形、砂時計形、非対称など）において、一般にエアフェルトとして称される粉砕木材パルプなど、使い捨ておむつ及び他の吸収性物品に一般的に使用される多種多様な液体吸収性素材から、製造されてもよい。他の好適な吸収性材料としては、縮みセルロース詰め物；コフォームを包含するメルトブローンポリマー；化学的に剛化、変性又は架橋されたセルロースファイバー；ティッシュラップ及びティッシュ積層体を含むティッシュ；吸収性フォーム；吸収性スポンジ；超吸収性ポリマー；吸収性ゲル材料；又はあらゆる同等の材料若しくは材料の組み合わせが挙げられる。
【００３０】
吸収性コア２８の構成及び構造は変化してもよい（例えば、吸収性コアは、変化するキャリパーゾーン、親水性勾配、又はより低い平均密度及びより低い平均坪量獲得帯を有してもよく、又は１つ以上の層若しくは構造を含んでもよい）。その上、吸収性コア２８のサイズ及び吸収能力も、乳幼児から成人までに及ぶ着用者に適応するように変化してもよい。吸収性コア２８の総合吸収能力は、おむつ２０の設計負荷及び意図された用途に適合すべきである。本開示の吸収性コア２８として使用するための一般に広い許容及び商業上の成功を達成した吸収性構造は、米国特許第４，６１０，６７８号、名称「Ｈｉｇｈ−Ｄｅｎｓｉｔｙ  Ａｂｓｏｒｂｅｎｔ  Ｓｔｒｕｃｔｕｒｅｓ」（１９８６年９月９日にＷｅｉｓｍａｎらに発行）、米国特許第４，６７３，４０２号、名称「Ａｂｓｏｒｂｅｎｔ  Ａｒｔｉｃｌｅｓ  Ｗｉｔｈ  Ｄｕａｌ−Ｌａｙｅｒｅｄ  Ｃｏｒｅｓ」（１９８７年６月１６日にＷｅｉｓｍａｎらに発行）、米国特許第４，８８８，２３１号、名称「Ａｂｓｏｒｂｅｎｔ  Ｃｏｒｅ  Ｈａｖｉｎｇ  Ａ  Ｄｕｓｔｉｎｇ  Ｌａｙｅｒ」（１９８９年１２月１９日にＡｎｇｓｔａｄｔに発行）、及び米国特許第４，８３４，７３５号、名称「Ｈｉｇｈ  Ｄｅｎｓｉｔｙ  Ａｂｓｏｒｂｅｎｔ  Ｍｅｍｂｅｒｓ  Ｈａｖｉｎｇ  Ｌｏｗｅｒ  Ｄｅｎｓｉｔｙ  ａｎｄ  Ｌｏｗｅｒ  Ｂａｓｉｓ  Ｗｅｉｇｈｔ  Ａｃｑｕｉｓｉｔｉｏｎ  Ｚｏｎｅｓ」（１９８９年５月３０日にＡｌｅｍａｎｙらに発行）に記載され、それぞれ参照により本明細書に組み込まれる。吸収性コアは、それぞれ参照により本明細書に組み込まれる、米国特許第５，２３４，４２３号、名称「Ａｂｓｏｒｂｅｎｔ  Ａｒｔｉｃｌｅ  Ｗｉｔｈ  Ｅｌａｓｔｉｃ  Ｗａｉｓｔ  Ｆｅａｔｕｒｅ  ａｎｄ  Ｅｎｈａｎｃｅｄ  Ａｂｓｏｒｂｅｎｃｙ」（１９９３年８月１０日にＡｌｅｍａｎｙらに発行）、及び米国特許第５，１４７，３４５号、名称「Ｈｉｇｈ  Ｅｆｆｉｃｉｅｎｃｙ  Ａｂｓｏｒｂｅｎｔ  Ａｒｔｉｃｌｅｓ  Ｆｏｒ  Ｉｎｃｏｎｔｉｎｅｎｃｅ  Ｍａｎａｇｅｍｅｎｔ」（１９９２年９月１５日にＹｏｕｎｇらに発行）に記載されるように、吸収性ストレージコア上に位置する化学的に堅固化された繊維の部分に形成された獲得／分配部材を含有するデュアルコアシステムを更に含む場合がある。
【００３１】
バックシート２６は、吸収性コア２８の衣類に面する表面５４に隣接して位置し、当該技術分野において周知の付着手段によって、そこに接合されてもよい。例えば、バックシート２６は、均一な連続層の接着剤、パターン層の接着剤、又は独立した線、螺旋、若しくは点の配列の接着剤によって、吸収性コア２８に固定されてもよい。要件を満たすことがわかっている接着剤は、Ｈ．Ｂ．Ｆｕｌｌｅｒ  Ｃｏｍｐａｎｙ（Ｓｔ．Ｐａｕｌ，Ｍｉｎｎ．）製造の商品名ＨＬ−１２５８、及びＦｉｎｄｌｅｙ  Ａｄｈｅｓｉｖｅｓ  Ｃｏｒｐｏｒａｔｉｏｎ（Ｗａｕｗａｔｏｓａ，Ｗｉｓ．）製造の商品名Ｆｉｎｄｌｅｙ  ２０３１である。開放パターンの繊維網の接着剤を含む好適な付着技法の例は、米国特許第４，５７３，９８６号、名称「Ｄｉｓｐｏｓａｂｌｅ  Ｗａｓｔｅ−Ｃｏｎｔａｉｎｍｅｎｔ  Ｇａｒｍｅｎｔ」（１９８６年３月４日にＭｉｎｅｔｏｌａらに発行）に開示される。螺旋模様に回転させられた接着剤長繊維の複数の線分を含む、別の好適な付着手段は、米国特許第３，９１１，１７３号、名称「Ａｄｈｅｓｉｖｅ  ｐｒｏｃｅｓｓ」（１９７５年１０月７日にＳｐｒａｇｕｅ，Ｊｒ．に発行）、米国特許第４，７８５，９９６号、名称「Ａｄｈｅｓｉｖｅ  ｓｐｒａｙ  ｇｕｎ  ａｎｄ  ｎｏｚｚｌｅ  ａｔｔａｃｈｍｅｎｔ」（１９７８年１１月２２日にＺｉｅｃｋｅｒらに発行）、及び米国特許第４，８４２，６６６号、名称「Ｐｒｏｃｅｓｓ  ｆｏｒ  ｔｈｅ  Ｐｅｒｍａｎｅｎｔ  Ｊｏｉｎｉｎｇ  ｏｆ  Ｓｔｒｅｔｃｈａｂｌｅ  Ｔｈｒｅａｄｌｉｋｅ  ｏｒ  Ｓｍａｌｌ  Ｒｉｂｂｏｎｌｉｋｅ  Ｅｌａｓｔｉｃ  Ｅｌｅｍｅｎｔｓ  ｔｏ  ａ  Ｆｌａｔ  Ｓｕｂｓｔｒａｔｅ，ａｓ  ｗｅｌｌ  ａｓ  ｕｓｅ  ｔｈｅｒｅｏｆ  ｆｏｒ  Ｐｒｏｄｕｃｉｎｇ  Ｆｒｉｌｌｅｄ  Ｓｅｃｔｉｏｎｓ  ｏｆ  Ｆｉｌｍ  ｏｒ  Ｆｏｉｌ  Ｓｔｒｉｐ」（１９８９年６月２７日にＷｅｒｅｎｉｃｚに発行）に示される装置及び方法によって例示される。これら特許はそれぞれ参考として本明細書に組み込まれる。別の方法としては、付着手段は、例えば、熱ボンド、超音波結合、動的機械的結合、若しくは任意の他の好適な付着手段、又は当該技術分野において既知のこれらの付着手段の組み合わせを含むことができる。しかしながら、幾つかの実施形態においては、吸収性コアは、例えば、おむつ２０全体のより優れた伸張性など、所望の性能を提供するために、バックシート２６、トップシート２４、又は双方に接合されない。
【００３２】
一実施形態において、バックシート２６は、液体（例えば、尿）に不透過性であり、薄いプラスチックフィルムから製造されるが、他の可撓性液体不透過性材料も使用される場合がある。本明細書で使用する時、用語「可撓性」は、順応性があり、人間の体の一般的な形状及び輪郭に容易に適合する材料を意味する。バックシート２６は、吸収性コア２８に吸収され、収容された排泄物が、寝具及び下着など、おむつ２０に接触する物品を濡らすことを防止する。しかしながら、バックシート２６は、液体の排泄物がバックシート２６を通過することを防止したままで、水蒸気が吸収性コア２８から脱することを可能にするように、通気性が有ることが好ましい。バックシート２６は、織布又は不織布材、ポリエチレン若しくはポリプロピレンの熱可塑性フィルムなどの高分子フィルム、又はこれらの混合を含む場合がある。好適なバックシート２６は、天然又は合成繊維を含む不織布カバーに接合した、約０．０１２ｍｍ（０．５ｍｉｌ）から約０．０５１ｍｍ（２．０ｍｉｌｓ）の厚さを有する熱可塑性フィルムである。バックシート２６がフィルムである場合、より布様の外観を提供するために、エンボス加工及び／又はマット仕上げされてもよい。
【００３３】
一実施形態において、バックシート２６の少なくとも一部分は、腰部機構３４と合致するバックシート２６の一部分を形成する「ゼロ歪」ストレッチラミネートも形成するために、機械的な伸張を受ける。バックシート２６は、「ゼロ歪」のストレッチラミネートバックシート及び伸縮性のある耳パネルの形成に関して、参照により本明細書に組み込まれる、米国特許第５，１５１，０９２号、名称「Ａｂｓｏｒｂｅｎｔ  Ａｒｔｉｃｌｅ  Ｗｉｔｈ  Ｄｙｎａｍｉｃ  Ｅｌａｓｔｉｃ  Ｗａｉｓｔ  Ｆｅａｔｕｒｅ  Ｈａｖｉｎｇ  Ａ  Ｐｒｅｄｉｓｐｏｓｅｄ  Ｒｅｓｉｌｉｅｎｔ  Ｆｌｅｘｕｒａｌ  Ｈｉｎｇｅ」（１９９２年９月２９日にＢｕｅｌｌらに発行）に記載の類似の増分機械的伸張装置を通して、バックシートを方向付けることによって、予歪することができる。したがって、バックシートは、好ましくは伸長可能で、より好ましくは引き抜き可能であるが、エラストマー性である必要はないので、バックシート２６は、その本来の歪曲されていない構成に完全に戻らないように、機械的伸張時、少なくともある程度永久的に伸長する。幾つかの実施形態では、バックシート２６は、過度の破裂又は破断を伴うことなく機械的伸張を受けることができる。したがって、バックシート２６は、ＡＳＴＭ（Ａｍｅｒｉｃａｎ  Ｓｏｃｉｅｔｙ  ｏｆ  Ｔｅｓｔｉｎｇ  Ｍａｔｅｒｉａｌｓ）Ｄ−６３８に基づいた方法を使用して測定するとき、機械横方向で少なくとも２００％〜約７００％の破断に至る最大伸長を有していてもよい。バックシート２６として使用するのに好適なフィルムは一般に、高含量の線状低密度ポリエチレンを含む。Ｃｌｏｐａｙ  Ｃｏｒｐｏｒａｔｉｏｎ（Ｃｉｎｃｉｎｎａｔｉ、Ｏｈｉｏ）は、商品名１４０１の好適なバックシートを製造する。バックシート２６のための他の好適な材料として、Ｔｒｅｄｅｇａｒ  Ｉｎｄｕｓｔｒｉｅｓ，Ｉｎｃ．（Ｔｅｒｒｅ  Ｈａｕｔｅ、Ｉｎｄ）によって製造されるＲＲ８２２０ブラウンフィルム及びＲＲ５４７５模型フィルムが挙げられる。
【００３４】
あるいは、バックシート２６、又はその任意の部分は、構造的に弾性様のフィルム（ＳＥＬＦ）ウェブを含んでもよい。構造的弾性様フィルムウェブは、追加の弾性材を使用することなく伸び方向に弾性様挙動を示す、延伸性材料である。ＳＥＬＦウェブには、隣接し、別個で、異なる少なくとも２区域を有するひずみ可能な網状組織が含まれる。区域のうちの１つは、他の区域の実質的な部分が適用された伸長に対する著しい抵抗力を生じる前に、所定の軸に対して平行な方向に適用された軸方向の伸長に対して、抵抗力を呈するように構成される。区域のうちの少なくとも１つは、材料に張力がかけられていない状態にある間に、所定の軸に対して実質的に平行に測定されたとき、他の区域の表面通路長さよりも大きい表面通路長さを有する。より長い表面通路長さを呈する区域は、他の区域の平面を越えて延びる、１つ以上の変形を含む。ＳＥＬＦウェブは、所定の軸に対して平行な方向に適用された伸長の対象である時、少なくとも１つの所定の軸に沿う伸長に対して、少なくとも２つの実質的に異なる段階の制御された抵抗力を呈するように構成される。ＳＥＬＦウェブは、ウェブの伸長が、より長い表面通路長さを有する区域の実質的な部分が適用された伸長の平面に入ることを生じるに十分であるまで、適用された伸長に対して第１の抵抗力を呈し、その後、ＳＥＬＦウェブは、更なる伸長に対して第２の抵抗力を呈する。伸長に対する総抵抗力は、第１の区域によって提供される伸長に対する第１の抵抗力よりも高い。
【００３５】
歪可能なウェブ材料は、十分な量の線状低密度ポリエチレン（ＬＬＤＰＥ）からなる場合がある。歪可能なウェブ材料は、低密度ポリエチレン（ＬＤＰＥ）、超低密度ポリエチレン（ＵＬＤＰＥ）、高密度ポリエチレン（ＨＤＰＥ）、又はポリプロピレン、並びに上記及び他の材料との混合を含む、ポリエチレンなどの他のポリオレフィンからなる場合もある。使用されてもよい他の好適な高分子材料として、ポリエステル、ポリウレタン、コンポスト可能又は生分解性ポリマー、熱収縮ポリマー、熱可塑性エラストマー、及び通気性ポリマー構造を挙げることができるが、これらに限定されない。本開示に好適なＳＥＬＦウェブは、参照により本明細書に組み込まれる、欧州特許出願第ＷＯ／１９９５／００３７６５号、名称「Ｗｅｂ  ｍａｔｅｒｉａｌｓ  Ｅｘｈｉｂｉｔｉｎｇ  Ｅｌａｓｔｉｃ−Ｌｉｋｅ  Ｂｅｈａｖｉｏｒ」（Ｃｈａｐｐｅｌらの名前で１９９５年２月９日に公開）により詳細に記載される。
【００３６】
バックシート２６の寸法は、一般に、吸収性コア２８の寸法及び選択されたおむつの精密な設計によって決定される。一実施形態では、バックシート２６は、収容アセンブリ２２の周辺部全体にわたり、吸収性コアを最低約１ｃｍ〜約５ｃｍ（約０．５インチ〜約２インチ）の距離だけ越えて延びる変形した砂時計形状を有する。
【００３７】
トップシート２４は、吸収性コア２８の身体に面する表面５６に隣接して位置し、当該技術分野において周知であるような付着手段によって、吸収性コア２８の身体に面する表面５６及びバックシート２６に接合されてもよい。好適な付着手段は、バックシート２６を吸収性コア２８に接合することに関して記載される。一実施形態では、トップシート２４及びバックシート２６は、おむつの周辺部で互いに直接接合されている。トップシート２４は、順応性があり、柔らかな感触で、着用者の皮膚を刺激しないものであることが好ましい。更に、トップシート２４は、液体（例えば尿）がその厚さを容易に透過することを可能にする液体透過性であることが好ましい。好適なトップシート２４は、例えば、多孔質発泡体、網状発泡体、有孔プラスチックフィルム、又は天然繊維（例えば、木材繊維若しくは綿繊維）、合成繊維（例えば、ポリエステル繊維若しくはポリプロピレン繊維）、又は天然繊維と合成繊維との組み合わせによる織布ウェブ又は不織布ウェブなど、広範囲の材料から製造されてもよい。トップシート２４は、好ましくは、トップシート２４を通過し、吸収性コア２８に収容される液体から着用者の皮膚を隔離するため（即ち、再湿潤を防ぐため）に、疎水性材料で作られ得る。トップシート２４が疎水性材料で作られる場合、液体がトップシートを通ってより迅速に移動できるように、トップシート２４の少なくとも上面は親水性であるように処理される。この構成は、身体排泄物が、トップシート２４に引き込まれて吸収性コア２８によって吸収されずに、トップシート２４から流れ出してしまうという可能性を低減する。トップシート２４は、界面活性剤で処理することによって親水性を持たせることができる。トップシート２４を界面活性剤で処理するのに適した方法としては、トップシート２４の材料に界面活性剤を噴霧する、並びに材料を界面活性剤中に浸漬することが挙げられる。このような処理、及び親水性のより詳細な説明は、米国特許第４，９８８，３４４号、名称「Ａｂｓｏｒｂｅｎｔ  Ａｒｔｉｃｌｅｓ  ｗｉｔｈ  Ｍｕｌｔｉｐｌｅ  Ｌａｙｅｒ  Ａｂｓｏｒｂｅｎｔ  Ｌａｙｅｒｓ」（１９９１年１月２９日にＲｅｉｓｉｎｇらに付与）、及び米国特許第４，９８８，３４５号、名称「Ａｂｓｏｒｂｅｎｔ  Ａｒｔｉｃｌｅｓ  ｗｉｔｈ  Ｒａｐｉｄ  Ａｃｑｕｉｒｉｎｇ  Ａｂｓｏｒｂｅｎｔ  Ｃｏｒｅｓ」（１９９１年１月２９日にＲｅｉｓｉｎｇに付与）に含まれ、それぞれ参照により本明細書に組み込まれる。
【００３８】
一実施形態において、トップシート２４の少なくとも一部分は、腰部機構３４を形成する「ゼロ歪」ストレッチラミネートを提供するために、機械的な伸張を受ける。トップシート２４は、「ゼロ歪」伸張バックシートの形成に関して本明細書に記載する方法を含むがこれに限定されない、当該技術分野において既知である任意の方法によって予歪することができる。したがって、トップシート２４は、好ましくは伸長可能で、より好ましくは引き抜き可能であるが、エラストマー性である必要はないので、トップシート２４は、その本来の歪曲げされていない構成に完全に戻らないように、機械的伸張時、少なくともある程度永久的に伸長する。様々な実施形態では、トップシート２４は、過度の破裂又は破断を伴うことなく機械的伸張を受けることができる。したがって、トップシート２４は、低い機械横方向（横方向）降伏強度を有することができる。
【００３９】
トップシート２４を製造するために利用することができる多数の製造技術が存在する。例えば、トップシート２４は、繊維の不織布ウェブであってもよい。トップシート２４が不織布ウェブを含む場合、そのウェブは、スパンボンド、カーディング、湿式積層、メルトブローン、水流交絡、上記の組み合わせなどであってもよい。好適なトップシート２４は、織物技術の当業者に周知の手段によって、カーディングされ熱接着されている。要件を満たすトップシート２４は、約２．２のデニールを有するステープル長のポリプロピレン繊維を含む。本明細書に使用する時、用語「ステープル長繊維」は、少なくとも約１５．９ｍｍ（０．６２５インチ）の長さを有する繊維を意味する。一実施形態において、トップシート２４は、約１４〜２５グラム毎平方メートルの坪量を有する。好適なトップシートは、Ｉｎｔｅｒｎａｔｉｏｎａｌ  Ｐａｐｅｒ  Ｃｏｍｐａｎｙ（Ｗａｌｐｏｌｅ、Ｍａｓｓ．）の一部門であるＶｅｒａｔｅｃ，Ｉｎｃ．によってＰ−８の商品名で製造されている。
【００４０】
おむつ２０は、液体及び他の身体排出物の収容の改善を提供するために弾性レッグカフ３２を更に含むことができる。それぞれの弾性レッグカフ３２は、脚部区域内の身体排泄物の漏れを低減するために複数の異なる実施形態を含むことができる。レッグカフは、例えば、レッグバンド、サイドフラップ、バリアカフ、又は伸縮性カフなどの他の名前で呼ばれる可能性があり、時には呼ばれることもある。米国特許第３，８６０，００３号は、弾性レッグカフ（ガスケットカフ）を提供するためにサイドフラップ及び１つ以上の弾性部材を有する収縮性脚部開口部を提供する、使い捨ておむつを記載している。米国特許第４，９０９，８０３号、名称「Ｄｉｓｐｏｓａｂｌｅ  Ａｂｓｏｒｂｅｎｔ  Ａｒｔｉｃｌｅ  Ｈａｖｉｎｇ  Ｅｌａｓｔｉｃｉｚｅｄ  Ｆｌａｐｓ」（１９９０年３月２０日にＡｚｉｚらに付与）は、脚部区域の収容を改善するため、「直立型」の弾性化したフラップ（バリアカフ）を有する使い捨ておむつを記載している。米国特許第４，６９５，２７８号、名称「Ａｂｓｏｒｂｅｎｔ  Ａｒｔｉｃｌｅ  Ｈａｖｉｎｇ  Ｄｕａｌ  Ｃｕｆｆｓ」（１９８７年９月２２日にＬａｗｓｏｎに付与）には、ガスケッティングカフ及びバリアカフを含む、二重カフを有する使い捨ておむつが記載されている。米国特許第４，７０４，１１５号、名称「Ｄｉｓｐｏｓａｂｌｅ  Ｗａｓｔｅ  Ｃｏｎｔａｉｎｍｅｎｔ  Ｇａｒｍｅｎｔ」（１９８７年１１月３日にＢｕｅｌｌに付与）は、衣類の中に自由液体を収容するように構成されたサイドエッジ漏れガード溝を有する使い捨ておむつ又は失禁用衣類を開示している。これらの特許はそれぞれ、参照することにより本明細書に組み込まれる。それぞれの弾性レッグカフ３２は、上記のレッグバンド、サイドフラップ、バリアカフ、又は伸縮性カフのいずれかに類似するように構成されてもよいが、それぞれの弾性レッグカフ３２は、上記に参照された米国特許第３，８６０，００３号に記載のガスケットカフ、及び上記に参照された米国特許第４，９０９，８０３号に記載のバリアカフを含んでもよい。
【００４１】
おむつ２０は、改善された適合及び収容を助ける、腰部機構３４を更に含んでもよい。腰部機構３４は、弾性的延伸性又は非弾性があってもよい。幾つかの実施形態において、腰部機構３４は、着用者の運動と連携して拡張し縮小するように少なくとも何らかの能力を有する。腰部機構３４は、吸収性コア２８の腰縁部６０のうちの少なくとも１つから長手方向に外向きに延びることができ、一般に、おむつ２０の端縁部５２の少なくとも一部分を形成する。使い捨ておむつは一般に、２つの腰部機構、即ち背側腰部区域４４に位置する１つ及び前側腰部区域４６に位置する１つを有するように構築されるが、おむつは、単一の腰部機構を用いて構築され得る。その上、腰部機構３４又はその構成成分要素のうちのいずれかは、おむつ２０に固着された独立した要素を含むことができる一方で、腰部機構３４は、バックシート２６又はトップシート２４のうちの１つ以上の層、又はこれらの組み合わせなど、おむつの他の要素のうちの１つ以上の延長として構築されてもよい。
【００４２】
腰部機構３４は、着用者に適合される衣類の中に適用するために好適な任意の材料を含むことができる。腰部機構３４が弾性になる場合、任意の好適な伸縮性又はエラストマー材が使用されてもよい。腰部機構３４として使用するために好適なエラストマー材は、サイドパネル６２及び３８に関して以下に記載する。腰部機構３４は、米国特許第４，５１５，５９５号、名称「Ｄｉｓｐｏｓａｂｌｅ  Ｄｉａｐｅｒｓ  ｗｉｔｈ  Ｅｌａｓｔｉｃａｌｌｙ  Ｃｏｎｔｒａｃｔｉｂｌｅ  Ｗａｉｓｔｂａｎｄｓ」（１９８５年５月７日にＫｉｅｖｉｔらに付与）、並びに上述の米国特許第５，１５１，０９２号（１９９２年９月２９日にＢｕｅｌｌに付与）に記載されているものを含む、多数の異なる構成で構築されてもよく、それぞれ、参照により本明細書に組み込まれる。その上、腰部機構３４は、腰部区域に追加の拡張を提供するように、おむつ着用者によって活性化されてもよい「プリーツ」を含むことができる。（本明細書に使用する時、用語「プリーツ」は、活性化する力が材料を展開する場合など、それ自身で折り畳み状態に戻っている材料の領域を意味する。）
図１〜５を参照すると、前側又は背側腰部区域４６又は４４のうちの１つは、第１のサイドパネル６２ａ、及び第２のサイドパネル６２ｂなどの２つのサイドパネルを含むことができ、これらは典型的に、前側又は背側腰部区域４４又は４６のうちの１つの外側横方向部分を形成する。４つのパネルの制作が図１に示され、第１のサイドパネル６２ａ及び第２のサイドパネル６２ｂは、例えば、背側腰部区域４４などの第１の腰部区域に位置する。長手方向に対向する腰部区域は、第３及び第４のパネル３８ａ、３８ｂなどの１対の横方向に対向するサイドパネルも含むことができ、これらは、例えば、前側腰部区域４６などの対向する腰部区域の外側横方向部分を形成することができる。４つのパネルの制作が図１に示されるが、様々な実施形態では、１つの腰部区域のみが、サイドパネルを形成する横方向部分を含んでもよい。例えば、幾つかの実施形態は、第１の腰部区域４６のみに第３及び第４のパネル３８ａ、３８ｂを有する場合があり、背側腰部区域４４は、サイドパネルを有さない。別の方法としては、吸収性物品は、背側腰部区域４４に第１及び第２のサイドパネル６２ａ、６２ｂだけを有し、前側腰部区域４６は、サイドパネルを有さない。本明細書において第１及び第２のサイドパネル６２ａ、６２ｂの数、特徴、及び配置に言及するいずれの記載も、そのようなパネルを利用する実施形態のための第３及び第４のパネル３８ａ、３８ｂにも適用可能である。
【００４３】
理解されるように、そして以下で詳細を記載するように、おむつ２０は、第１及び第２のパネル６２ａ、６２ｂ、第３及び第４のパネル３８ａ、３８ｂ、又は収容アセンブリ２２など、おむつ２０の他の部材のうちの１つ以上に位置する１つ以上の締結部材を含むことができる。例えば、第１及び第２の閉鎖部材３０、３１は、第１の腰部区域に第１及び第２のサイドパネル６２ａ及び６２ｂ、若しくは第３及び第４のサイドパネル３８ａ、３８ｂ上に配置される、又はこれらを形成する場合があり、第３の閉鎖部材、若しくは噛合閉鎖部材は、長手方向に対向する腰部区域の収容領域２２の一部分上に配置される、又はこれを形成する場合がある。そのような締結装置２００の配置の変形は全て、本開示の範囲内に含まれることが意図される。
【００４４】
第１の閉鎖部材３０は、係合部材２０２を含んでもよく、サイドパネルの内側表面６７上の遠位縁部６８に隣接して配置されてもよい。閉鎖部材３０及び３１は、おむつ２０に固着された独立の分離した要素、あるいは、例えば、サイドパネル、バックシート、トップシート又はレッグカフなど、おむつ２０の要素と分割されることも切断されることもない、一体型部品の材料のいずれかであってもよい。一実施形態では、おむつ２０が構築されると、閉鎖部材３０及び３１は、背側腰部区域４４を前側腰部区域４６に固定するように、第３の閉鎖部材３３と係合する。閉鎖部材３０及び３１は、１つ以上の独立した締結要素を含むことができる。閉鎖部材３３は、閉鎖部材３０及び３１と係合することを目的とし、閉鎖部材３３は、１つ以上の独立した締結要素を含むことができる。加えて、閉鎖部材のいずれかは、おむつ２０の表面のうちの１つの一部分上に配置されること又はこれを形成することができる。
【００４５】
第３の閉鎖部材３３は、第１及び／又は第２の閉鎖部材を含む腰部区域と長手方向に対向する腰部区域に配置される１つ以上のランディング部材２０４を含むことができる。幾つかの実施形態において、第３の閉鎖部材３３は、１つ以上の係合部材を含む場合がある。第３の閉鎖部材３３は、おむつ２０の衣類に面する表面４０の一部分上に配置されること又はこれを形成することができる。第３の閉鎖部材３３は、トップシート２４、バックシート２６、レッグカフ、様々なサイドパネル、又はこれらの組み合わせなど、おむつ２０の他の要素と一体であってもよい。一代替実施形態において、第３の閉鎖部材３３は、前側腰部区域４６に少なくとも２つの分離した独立パッチ又は領域を含む。閉鎖部材３０、３１及び３３の様々な構成は、おむつが従来のおむつ又はプルオンのいずれかとして機能するために適切な腰部周囲及び適切な張力を確実にすることを助けることができる。一実施形態において、適切な張力及び適合を提供する吸収性物品は、その上の閉鎖部材３０及び３１のそれぞれの適切な位置を示すしるしを備える、単一の第３の閉鎖部３３の使用によって提供され得る。（分離した個別のランディング部材２０４も、図１〜５に示されるように、その上にしるしを備えて提供されてもよい。）
第３の閉鎖部材（単数又は複数）３３は、任意の好適な形状又は寸法をとってもよい。一実施形態において、図２に示されるように、第３の閉鎖部材３３は、一般に平行四辺形の形状である、２つの個別のランディング部材を含む。かかる実施形態において、ランディング部材２０４が、第３の閉鎖部材３３の中に含まれ、それらの長軸が吸収性物品の長手方向中心線１００及び横方向中心線１０２の両方に対して傾斜するように構成されることが望ましい場合がある。一実施形態において、ランディング部材２０４の長軸は、横方向中心線１０２から離れて前側腰部区域４６の端縁部５２に向かって延びるとき、横方向に傾斜する。第３の閉鎖部材３３のランディング部材２０４も、おむつが着用者の周囲で締結されると、第１及び第２の閉鎖部材３０及び３１の傾斜に対応するように構成されてもよい。これによって、それぞれの閉鎖部材の十分な部分がそれぞれ対応するランディング部材と係合することを確実にする。（しかしながら、第１及び第２の閉鎖部材３０及び３１がランディング部材２０４の傾斜に対応するように構成される必要がない、実施形態が考えられる。そのような場合、おむつには、係合部材２０２がランディング部材２０４に完全に重なり合うかどうかなど、締結装置２００を締結するために柔軟性が残される。）
図２は、背側腰部区域４４の収容アセンブリ２２の側縁部５０から横方向に外側に延びる第１及び第２のサイドパネル６２ａ、６２ｂを含むおむつ２０の実施形態を示す。この実施形態のおむつ２０は、４つのパネルを制作するおむつ２０の部材に実質的に類似する部材を含むことができる。図１〜３を参照すると、第１及び第２のサイドパネル６２ａ、６２ｂは、使用者が、従来のテープ式おむつ構成で着用者の周囲におむつ２０を締結又は再締結する間に保持する場合がある、構造的要素を提供することができる。理解されるように、第３及び第４のパネル３８ａ、３８ｂが使用される場合、これらのパネルは、使用者が、従来のテープ式おむつ構成で着用者の周囲におむつ２０を締結又は再締結する間に保持する場合がある、構造的要素を提供することができる。
【００４６】
第１及び第２のサイドパネル６２ａ、６２ｂは、背側腰部区域４４の少なくとも一部分など、収容アセンブリ２２の長手方向に延びる縁部５０のうちの１つに、又はこれに隣接して配置されてもよい。長手方向に対向する対のサイドパネルが同一である必要はないが、図１に示されるように、一実施形態において、これらは相互に鏡像である。第１及び第２のサイドパネル６２ａ、６２ｂは、吸収性物品の他の要素の部分を含んでもよく、又は収容アセンブリ２２と接合した独立した要素であってもよい。第１及び第２のサイドパネル６２ａ、６２ｂのそれぞれは、それらの形状に応じて、長手方向近位縁部６１、長手方向遠位縁部７０、横方向遠位縁部６８、内側表面６７、及び外側表面６９を有する場合がある。
【００４７】
幾つかの実施形態において、図２〜３に示されるように、第１及び第２のサイドパネル６２ａ、６２ｂは、収容アセンブリ２２に付着又は接合されてもよい。そのような実施形態において、第１及び第２のサイドパネル６２ａ、６２ｂは、長手方向近位縁部６１、長手方向遠位縁部７０、及び横方向遠位縁部６８に加えて、横方向近位縁部６６を有する場合がある。サイドパネルの横方向近位縁部６６は、収容アセンブリ２２の側縁部５０及び近位縁部６６から横方向に外側に離間された横方向遠位縁部６８のうちの１つに／又は隣接して配置される場合がある。図２に示されるように、サイドパネル６２ａ、６２ｂは、ベルト様要素７７の延長であってもよい。ベルト様要素７７は、おむつ２０の収容アセンブリ２２全体、及びそこから横方向に外向きに延び、サイドパネル６２ａ、６２ｂを形成することができる。ベルト様要素７７は、おむつの他の要素と一体化してもよく、又はそこに付着されている独立した要素であってもよい。加えて、図３に示されるように、サイドパネル６２ａ、６２ｂは、収容アセンブリ２２に接合されてもよい。付着領域７３は、概して側縁部５０に沿って存在してもよい。理解されるように、第３及び第４のパネル３８ａ、３８ｂも、ベルト様要素７７に類似した要素を使用して提供、又は側縁部５０に沿って収容アセンブリ２２に付着されていてもよい。ベルト様要素７７又はサイドパネル６２ａ、６２ｂが、おむつ２０に接合された独立した要素である場合、当該技術分野において既知である任意の手段によって、接合することができる。好適な付着手段の例として、接着剤結合、熱結合、圧力結合、超音波結合、動的機械的結合、又はこれらの手段のうちのいずれかの組み合わせ、又は当該技術分野において既知の任意の他の手段が挙げられる。
【００４８】
一実施形態において、第１及び第２のサイドパネル６２ａ、６２ｂの長手方向近位縁部６１は、おむつ２０の脚開口部の部分を形成し、一方で、第１及び第２のサイドパネル６２ａ、６２ｂの長手方向遠位縁部７０は、おむつ２０の腰開口部の一部分を形成する。図１〜３に示されるように、それぞれのサイドパネルの外面６９は、おむつが着用されている時に着用者から遠くに面する表面で、概して、収容アセンブリ２２の衣類に面する表面４０に対応する。図１〜３に示されるように、それぞれのサイドパネルの内面６７は、おむつ２０が着用されている時に着用者に面する表面で、概して、収容アセンブリの身体に面する表面４２に対応する。
【００４９】
図４〜５を参照すると、おむつ２０は、プルオン（又は部分的に）部材で着用者に適合されてもよい。おむつは、概して、おむつが着用者に着用される前に、上記のように構築される場合がある。したがって、このような構成では、係合部材２０２は、腰部輪及び１対の脚開口部を有するパンツ様物品を形成するように、ランディング部材２０４と係合される場合がある。この構成では、着用者の脚は、脚開口部を通して方向付けられる。着用者の脚が脚開口部を通った後、おむつ着用者は、次いで、腰部輪が着用者の腰部を取り巻くように、おむつの腰部輪を着用者の臀部上から引き上げることができる。（着用者は、幾つかの場合、特に、着用者がトイレトレーニング段階の小児である際、又は着用者が成人である際、おむつ着用者である場合があることに注意されたい。）
おむつ２０は、あるいは、従来（又はテープ式おむつ）構成で着用者に適用されてもよい。そうするためには、背側腰部領域４４は、着用者の背中の下に置くことが好ましい。おむつ２０の残り部分は、次いで、他の区域、好ましくは前側腰部区域４６が着用者の前側に渡って位置するように、着用者の脚の間に引き出されることが好ましい。おむつ着用者は、次いで、第１のサイドパネル６２ａ又は第２のサイドパネル６２ｂ、又は両方を掴み、着用者の腰部周囲に巻き付けることが好ましい。一実施形態において、おむつ着用者は、次いで、後側腰部区域に配置された係合部材２０２を前側腰部区域４６に配置されたランディング部材２０４と係合する。これによって、着用者のそれぞれ側部上に腰部閉鎖を形成し、従来の構成のおむつの構築を完了する。
【００５０】
いうまでもなく、おむつ２０は、従来及びプルオン実施形態に関する上記の工程の組み合わせを含む、任意の他の好適な様式で着用者に適合されてもよい。おむつ着用者２０がプルオンとして使用される際、サイドパネルは、図４〜５に示されるような、パンツ様物品を形成するように、上記のように予め締結される。一実施形態では、サイドパネルは、パッケージとして、おむつ着用者によって取り扱われる前に、予め締結される。任意の構成において、再締結可能な締結装置２００は、使用者におむつ２０の汚れを確認するための容易なアクセスを提供する。その上、締結装置２００は、おむつ２０をどのように脱がせるかについての選択肢を使用者に与える。おむつ２０は、締結装置２００の要素の係合を解除することなく、着用者からおむつを下に引き離すことによって、又はその対応する、即ち、噛合している、ランディング部材２０４から、係合部材２０２のうちの少なくとも１つを離脱し、着用者の腰部周辺からおむつ２０を取り外すことによって、脱がせることができる。したがって、締結装置２００は、おむつをプルオン構成に維持し、使用者がおむつ２０を少なくとも２つの異なる構成、即ち、従来のテープ式おむつ構成及びプルオン構成で着用者適合させることを可能にする。いずれの構成においても、おむつ２０は、その完全に構築された構成でおむつを下方に引っ張ることによって、又は締結装置２００によって形成された閉鎖部を開くことによって、脱がせることができる。
【００５１】
締結装置２００は、感圧接着剤、粘着性材料、マジックテープ型締結具などの機械的締結具、又はこれらの任意の組み合わせ若しくは当該技術分野において既知の任意の他の付着手段を含む、当該技術分野において既知の任意の付着手段を含むことができる。本明細書において使用する時、用語「マジックテープ型締結具」は、係合部材及び補完的ランディング部材を含む締結手段を意味する。用語「フック」は、係合要素を有する材料を指定するために使用される。したがって、フック締結材は、雄ファスナーとも呼ばれる場合がある。「フック」という用語の使用は、係合要素が、補完的なランディング部材と係合するように適合されている限り、任意の形状を含む場合があるという点で非限定的である点も理解されなければならない。幾つかの実施形態において、サイドパネルのうちの任意の表面の全て又は一部分を形成する不織布材は、マジックテープ機械的締結具のループ状の材料ように、ランディング部材などの締結部材として機能する場合がある。例示的な接着テープタブ締結装置は、米国特許第３，８４８，５９４号、名称「Ｔａｐｅ  Ｆａｓｔｅｎｉｎｇ  Ｓｙｓｔｅｍ  ｆｏｒ  Ｄｉｓｐｏｓａｂｌｅ  Ｄｉａｐｅｒ」（１９７４年１１月１９日にＢｕｅｌｌに付与）及び米国特許第４，６６２，８７５号、名称「Ａｂｓｏｒｂｅｎｔ  Ａｒｔｉｃｌｅ」（１９８７年５月５日にＨｉｒｏｔｓｕ及びＲｏｂｅｒｔｓｏｎに付与）に開示される。機械的締結格子要素を含む例示的な締結装置は、米国特許第５，０５８，２４７号、名称「Ｍｅｃｈａｎｉｃａｌ  Ｆａｓｔｅｎｉｎｇ  Ｐｒｏｎｇ」（１９９１年１０月２２日にＴｈｏｍａｓに付与）、米国特許第４，８６９，７２４号、名称「Ｍｅｃｈａｎｉｃａｌ  Ｆａｓｔｅｎｉｎｇ  Ｓｙｓｔｅｍｓ  Ｗｉｔｈ  Ａｄｈｅｓｉｖｅ  Ｔａｐｅ  Ｄｉｓｐｏｓａｌ  Ｍｅａｎｓ  Ｆｏｒ  Ｄｉｓｐｏｓａｌ  ｏｆ  Ａｂｓｏｒｂｅｎｔ  Ａｒｔｉｃｌｅｓ」（１９８９年９月２６日にＳｃｒｉｐｐｓに付与）、及び米国特許第４，８４６，８１５号、名称「Ｄｉｓｐｏｓａｂｌｅ  Ｄｉａｐｅｒ  Ｈａｖｉｎｇ  ａｎ  Ｉｍｐｒｏｖｅｄ  Ｆａｓｔｅｎｉｎｇ  Ｄｅｖｉｃｅ」（１９８９年７月１１日にＳｃｒｉｐｐｓに付与）に記載される。機械的／接着剤の組み合わせの締結具を有する締結装置の例は、米国特許第４，９４６，５２７号、名称「Ｐｒｅｓｓｕｒｅ−Ｓｅｎｓｉｔｉｖｅ  Ａｄｈｅｓｉｖｅ  Ｆａｓｔｅｎｅｒ  ａｎｄ  Ｍｅｔｈｏｄ  ｏｆ  Ｍａｋｉｎｇ  Ｓａｍｅ」（１９９０年８月７日にＢａｔｔｒｅｌｌに付与）に記載される。これらの特許はそれぞれ、参照することにより本明細書に組み込まれる。
【００５２】
様々な実施形態において、締結装置２００は、係合部材２０２及び補完的ランディング部材２０４を含む場合がある。ランディング部材２０４は、係合部材２０２を固定して係合することが可能である広範囲の材料及び構成から製造されてもよい。例えば、ランディング部材２０４は、同一の補完的要素又は個別の補完的要素を含む場合がある。本明細書で使用される場合、用語「同一の補完的要素」は、係合部材２０２の係合要素及びランディング部材２０４が同じ構成又は構造を備える、機械的締結装置を定義するために使用される。そのような装置の例は、米国特許第４，３２２，８７５号、名称「Ｔｗｏ  Ｓｔｒｉｐ  Ｍａｔｅｒｉａｌｓ  Ｕｓｅｄ  Ｆｏｒ  Ｆｏｒｍｉｎｇ  Ｆａｓｔｅｎｅｒｓ」（１９８２年４月１６日にＢｒｏｗｎらに付与）及び米国特許第４，７０１，１７９号、名称「Ｆｉｘｅｄ  Ｐｏｓｉｔｉｏｎ  Ｆａｓｔｅｎｅｒｓ  Ｆｏｒ  Ｄｉｓｐｏｓａｂｌｅ  Ａｂｓｏｒｂｅｎｔ  Ｇａｒｍｅｎｔｓ」（１９８７年１０月２０日にＫｅｌｌｅｎｂｅｒｇｅｒらに付与）に記載される。用語「個別の補完的要素」は、係合部材２０２が、ランディング部材２０４とは異なるが、それと係合可能である、装置を指定するために使用される。
【００５３】
様々な実施形態において、係合部材２０２の長手方向長さは、付設される、ないしは別の方法で配置される、サイドパネルの長手方向長さよりも実質的に短い。サイドパネルの長手方向長さは、締結具の長手方向に遠位の点から、締結具の長手方向に近位の点まで、概して平行に測定される。連続的係合部材２０２が利用される場合、係合部材の長手方向長さは、概して、長手方向に延びる縁２１２に沿って測定されてもよい。複数個の分離した係合部材２０２が単一のサイドパネル上で利用される場合、係合部材の長手方向長さは、それぞれ分離した係合部材２０２の長手方向長さの合計である。一実施形態において、係合部材２０２の長手方向長さは、関連するサイドパネルの長手方向長さの約８０％未満であってもよい。一実施形態において、係合部材２０２の長手方向長さは、関連するサイドパネルの長手方向長さの約７０％未満であってもよい。一実施形態において、係合部材２０２の長手方向長さは、関連するサイドパネルの長手方向長さの約５０％未満であってもよい。
【００５４】
図１〜５を参照すると、フック締結材を含む係合部材２０２は、土台２０８と、土台２０８から延びる複数個の係合要素２０６と、を有する場合がある。フック締結材料は、固定した締結デバイスを提供するように、ループ締結材の繊維状要素と係合することを目的とする。したがって、フック締結材料は、広範な材料から製造することができる。その上、係合要素２０６は、フック状、「Ｔ字」形状、キノコ状、又は当該技術分野において既知の任意の他の形状など、任意の形状を有していてもよい。好適な材料としては、ナイロン、ポリエステル、ポリプロピレン、又はこれらの材料の任意の組み合わせが挙げられる。フック締結材料の例は、Ａｐｌｉｘ  Ｉｎｃ．（Ｃｈａｒｌｏｔｔｅ，Ｎ．Ｃ．）から商品名９６０、９５７及び９４２で市販されている。他のフック締結材料は、Ｍｉｎｎｅｓｏｔａ  Ｍｉｎｉｎｇ  ａｎｄ  Ｍａｎｕｆａｃｔｕｒｉｎｇ  Ｃｏｍｐａｎｙ（Ｓｔ．Ｐａｕｌ，Ｍｉｎｎ．）から商品名ＣＳ２００、ＣＳ３００、ＭＣ５及びＭＣ６で市販されている。更に別のフック締結材料は、米国特許第５，０５８，２４７号、名称「Ｍｅｃｈａｎｉｃａｌ  Ｆａｓｔｅｎｉｎｇ  Ｐｒｏｎｇ」（１９９１年１０月２２日にＴｈｏｍａｓに付与）に記載され、参照により本明細書に組み込まれる。
【００５５】
係合部材２０２は、任意の好適な手段によって、吸収性物品に接合されてもよい。それらは、サイドパネルの内面６７を含む材料、又はサイドパネルの外面６９を含む材料など、サイドパネル６２及び／又はサイドパネル３８の任意の部分と直接接合されても、テープタブ又は他のタブ部材など、何らかの中間部材上に付設されてもよい。係合部材も、収容アセンブリ２２の内面又は外面に接合されてもよい。係合部材、タブ、中間部材、又はこれらの組み合わせは、熱、圧力、超音波、接着剤、粘着性又はこれらの任意の組み合わせ、若しくは他の結合手段を含むがこれらに限定されない、当該技術分野において既知の任意の手段によって、サイドパネル又は吸収アセンブリに接合されてもよい。
【００５６】
ランディング部材２０４は、係合部材２０２の係合要素２０６を係合する、ループ締結材料など、複数個の繊維要素を備えることができる。ループ締結材料は、ループなどの繊維要素を提供する広範な材料から製造することができる。好適な材料として、織布材、不織布、ナイロン、ポリエステル、ポリプロピレン、又は複数個の繊維要素若しくはこれらの材料の組み合わせを含む任意の他の材料が挙げられる。このような不織布材は、サイドパネルの一部分を形成するために使用される不織布材、並びにバックシート２６上に配置される不織布を含む。１つの好適なループ締結材料は、Ｍｉｎｎｅｓｏｔａ  Ｍｉｎｉｎｇ  ａｎｄ  Ｍａｎｕｆａｃｔｕｒｉｎｇ  Ｃｏｍｐａｎｙ（Ｓｔ．Ｐａｕｌ，Ｍｉｎｎ）から商品名ＥＢＬで市販されている不織布である。１つのループ締結材料は、Ｇｕｉｌｆｏｒｄ  Ｍｉｌｌｓ（Ｇｒｅｅｎｓｂｏｒｏ，Ｎ．Ｃ）から商品名Ｇｕｉｌｆｏｒｄ  １８９０４で市販されているような、裏打ち材から突出している複数の成形係合要素を含む。他の好適なランディング部材２０４は、Ｍｉｎｎｅｓｏｔａ  Ｍｉｎｉｎｇ  ａｎｄ  Ｍａｎｕｆａｃｔｕｒｉｎｇ  Ｃｏｍｐａｎｙ（Ｓｔ．Ｐａｕｌ，Ｍｉｎｎ．）から商品名ＫＬＴで市販されている。安価なループ締結材料及びこれを作製する方法は、米国特許第５，０３２，１２２号、名称「Ｌｏｏｐ  Ｆａｓｔｅｎｉｎｇ  Ｍａｔｅｒｉａｌ  Ｆｏｒ  Ｆａｓｔｅｎｉｎｇ  Ｄｅｖｉｃｅ  ａｎｄ  Ｍｅｔｈｏｄ  ｏｆ  Ｍａｋｉｎｇ  Ｓａｍｅ」（１９９１年７月１６日にＮｏｅｌらに付与）に記載され、参照により本明細書に組み込まれる。別の好適なランディング部材材料は、米国特許第５，３２６，６１２号、名称「Ｎｏｎｗｏｖｅｎ  Ｆｅｍａｌｅ  Ｃｏｍｐｏｎｅｎｔ  ｆｏｒ  Ｒｅｆａｓｔｅｎａｂｌｅ  Ｆａｓｔｅｎｉｎｇ  Ｄｅｖｉｃｅ  ａｎｄ  Ｍｅｔｈｏｄ  ｏｆ  Ｍａｋｉｎｇ  ｔｈｅ  Ｓａｍｅ」（１９９４年７月５日にＤａｖｉｄ  Ｊ．Ｋ．Ｇｏｕｌａｉｔに付与）に記載され、参照により本明細書に組み込まれる。更に他の好適なランディング部材は、米国特許出願第０８／２５４，８１４号、名称「Ｎｏｎｗｏｖｅｎ  Ｆｅｍａｌｅ  Ｃｏｍｐｏｎｅｎｔ  Ｆｏｒ  Ｒｅｆａｓｔｅｎａｂｌｅ  Ｆａｓｔｅｎｉｎｇ  Ｄｅｖｉｃｅ  ａｎｄ  Ｍｅｔｈｏｄ  ｏｆ  Ｍａｋｉｎｇ  ｔｈｅ  Ｓａｍｅ」（１９９４年６月６日にＰａｔｒｉｃｋ  Ｊａｙ  Ａｌｌｅｎらにより出願）、米国特許出願第０８／２８７，５７１号、名称「Ｎｏｎｗｏｖｅｎ  Ｆｅｍａｌｅ  Ｃｏｍｐｏｎｅｎｔ  Ｆｏｒ  Ｒｅｆａｓｔｅｎａｂｌｅ  Ｆａｓｔｅｎｉｎｇ  Ｄｅｖｉｃｅ」（１９９４年８月９日にＷｉｌｌｉｅ  Ｆ．Ｋｉｎｇらにより出願）、及び米国特許整理番号０８／３７４，２６９、名称「Ｆｅｍａｌｅ  Ｃｏｍｐｏｎｅｎｔ  Ｆｏｒ  Ｒｅｆａｓｔｅｎａｂｌｅ  Ｆａｓｔｅｎｉｎｇ  Ｄｅｖｉｃｅ」（１９９５年１月１８日にＣａｒｌ  Ｌ．Ｂｅｒｇｍａｎらにより出願）に記載される。これらの特許出願の全ては、参照により本明細書に組み込まれる。
【００５７】
ランディング部材２０４は、接着剤、粘着剤、熱、圧力、超音波、又はこれらの任意の組み合わせを含むがこれらに限定されない、当該技術分野において既知の任意の手段によって、おむつ２０に接合されてもよい。その上、係合部材２０２に関する上記の特定の結合パターンが、ランディング部材（単数又は複数）２０４をおむつ２０に接合するために使用されてもよい。ランディング部材２０４は、その裏材の任意の部分に及ぶ場合がある、接着剤結合の手段によって、おむつ２０に接合されてもよい。
【００５８】
更に図１〜５を参照すると、締結装置２００の要素は、おむつ２０の衣類に面する表面４０若しくは身体に面する表面４２のいずれか、又は例えば、サイドパネル６２ａ、６２ｂ、３８ａ、３８ｂのうちのいずれか若しくは収容アセンブリ２２など、おむつを形成する要素のうちのいずれかの上に配置されてもよい。一実施形態において、係合部材２０２は、ある腰部区域のサイドパネルの外側表面６９（即ち、衣類に面する表面）上に配置され、ランディング部材は、対向する腰部区域のサイドパネルの内側表面６７（即ち、着用者に面する表面）の一部上に配置される、又はこれを形成する。したがって、一実施形態において、係合部材２０２は、第３及び第４のパネル３８ａ、３８ｂの外側表面６９上に配置されてもよく、ランディング部材２０４は、第１及び第２のパネル６２ａ、６２ｂの内側表面６７上に配置される。代替実施形態において、係合部材２０２は、ある腰部区域のサイドパネルの内側表面６７（即ち、着用者に面する表面）上に配置され、ランディング部材２０４は、対向する腰部区域のサイドパネルの外側表面６９（即ち、衣類に面する表面）の一部上に配置される、又はこれを形成する。また別の代替実施形態において、係合部材２０２は、ある腰部区域のサイドパネルの外側表面６７（即ち、着用者に面する表面）上に配置され、ランディング部材２０４は、対向する腰部区域の収容アセンブリ２２の外側表面６９（即ち、衣類に面する表面）の一部上に配置される、又はこれを形成する。更に別の代替実施形態において、係合部材２０２は、ある腰部区域の収容アセンブリ２２の衣類に面する表面上に配置され、ランディング部材２０４は、対向する腰部区域のサイドパネルの内側表面６７（即ち、着用者に面する表面）の一部上に配置される、又はこれを形成する。一実施形態において、締結要素は、締結具が着用者の皮膚を刺激しないように、おむつ２０上に配置される。係合部材２０２及びランディング部材２０４は、１つ以上の個別の締結要素を含むことができ、任意の形状、パターン及びサイズであってもよいことが特筆される。その上、係合部材２０２、ランディング部材２０４、又は双方が連続ではなく、むしろ、必要な締結特徴を提供し、広範囲の着用者のための最善の適合を可能にするための複数の個別の部材を含む、実施形態が考えられる。
【００５９】
幾つかの実施形態において、係合部材２０２の長手方向縁部２１２は、図１及び３に示されるように、吸収性物品の長手方向中心線１００と概して平行であってもよく、又は例えば、図２に示されるように、長手方向中心線１００に対して傾斜していてもよい。係合部材２０２に対して傾斜する代替は、係合部材２０２を、それらの対応するランディング部材２０４に対して傾斜して固定することである。係合部材２０２を吸収性物品の長手方向中心線１００に対して傾斜して提供することによって、少なくとも２つの潜在的な利益を実現する。係合部材２０２が図２に示されるように傾斜していると、係合部材２０２は、着用者の運動にも関わらず、大腿上部上の皮膚の跡が概して回避されるように位置付けられる。また、この手法を用いると、締結具全体も着用者の脚の屈曲線に適合することができ、それにかかることがない。
【００６０】
サイドパネル３８、６２は、複数の異なる寸法、形状、構成、及び材料をとることができる。サイドパネル３８、６２は、例えば、形状が矩形又は台形であってもよい。サイドパネル３８、６２は、適切な外観を提供し、着用者の身体に対して適合するように、１つ以上の直線縁及び１つ以上の曲線縁を有することができる。サイドパネル３８及び／又はサイドパネル６２は、弾性レッグカフ、トップシート及び／又はバックシートの１つ以上の層、並びにこれらの組み合わせなど、おむつの要素の１つ以上を構成する材料の一部分を含むことができる。あるいは、サイドパネル３８及び／又はサイドパネル６２は、おむつに固着された独立した要素又は複数個の要素、即ち、収容アセンブリによって、形成されてもよい。
【００６１】
図６Ａ〜６Ｅは、様々な非限定的な実施形態による、サイドパネル構成を示す。係合部材２０２を備える第１のサイドパネル６２ａは、おむつ２０の代表的サイドパネルとして示される。第１のサイドパネル６２ａを参照する、本明細書のいずれの記載も、そのようなパネルを利用する実施形態の第２のサイドパネル６２ｂ、並びに第３及び第４のパネル３８ａ、３８ｂに適用可能であることを理解されたい。示されるように、第１のサイドパネル６２ａは、任意の好適な形状であってもよい。図６Ｅに示されるように、例えば、サイドパネル６２ａは、タブ又は突出部など、概して本体部分６５から延びる、１つ以上の拡張部６３を有する場合がある。第１のサイドパネル６２ａは、係合部材２０２、ランディング部材２０４、又はこれらの組み合わせを提供することができる。図６Ａ〜６Ｅは、係合部材２０２だけを示す。係合部材２０２は、締結ゾーン２０３を形成するように、第１のサイドパネル６２ａ上に任意の好適な構成で配置されてもよい。締結ゾーン２３０は概して、係合部材２０２を囲むサイドパネルの領域である。示されるように、係合部材２０２は、長手方向及び横方向のうちの少なくとも１つで不連続であってもよい。その上、係合部材２０２の寸法、形状、及び／又は領域は、おむつ２０が着用者によって着用されると発生する様々な力を受ける際に、長手方向にサイドパネル６２ａ、６２ｂ、３８ａ及び３８ｂに沿って充当な力分散を提供するように構成されてもよい。様々な実施形態において、係合部材２０２の長手方向長さは、係合部材２０２を提供するサイドパネルの長手方向長さよりも実質的に短い。幾つかの実施形態において、おむつ２０の様々なサイドパネルの形状及び／又は閉鎖配置は異なっていてもよい。例えば、一実施形態において、第１及び第２のサイドパネル６２ａ、６２ｂは、第３及び第４のパネル３８ａ、３８ｂとは異なる形状を有する。別の実施形態において、第１及び第２のサイドパネル６２ａ、６２ｂは、第３及び第４のパネル３８ａ、３８ｂに類似の形状を有する。サイドパネル３８、６２は、複数の異なる寸法、形状、構成及び材料をとることができる。したがって、サイドパネル３８、６２の正確な長さ、幅及び厚さは、意図される使用者に応じて変化してもよい。様々な実施形態において、サイドパネル３８及び６２は、形状が実質的に矩形であってもよい。サイドパネル３８及び６２は、収容アセンブリ２２の側縁部５０から、サイドパネルの横方向遠位縁部６８まで測定されるとき、同じ横方向範囲を有することができる。サイドパネルは、近位長手方向縁部６１から、遠位長手方向縁部７０まで測定されるとき、同じ長手方向範囲も有することができる。
【００６２】
一実施形態において、サイドパネルは、実質的に線状である長手方向遠位縁部７０、及び実質的に線状で、長手方向遠位縁部７０に平行ではない長手方向近位縁部を有することができる。代替実施形態において、サイドパネルは、実質的に線状である長手方向遠位縁部７０、及び実質的に弓状である長手方向近位縁部６１を有することができる。更に別の代替実施形態において、サイドパネルは、実質的に線状である横方向近位縁部６６、及び実質的に線状で、横方向近位縁部６６に平行ではない横方向遠位縁部６８を有することができる。一実施形態において、サイドパネル６２ａ、６２ｂは、おむつ２０に接合された独立した要素であってもよく、これらは、当該技術分野において既知の任意の手段によって、接合することができる。好適な付着手段の例として、接着剤結合、粘着性結合、熱結合、圧力結合、超音波結合、動的機械的結合又はこれらの手段のうちの任意若しくは当該技術分野において既知の任意の他の手段の組み合わせが挙げられる。
【００６３】
サイドパネルは、延伸性又は非延伸性材料も含むことができる。一実施形態では、サイドパネルは、複数の方向に延伸性があるサイドパネルを含む。そのようなサイドパネルは、米国特許出願第０８／１５５，０４８号、名称「Ａｂｓｏｒｂｅｎｔ  Ａｒｔｉｃｌｅ  Ｗｉｔｈ  Ｍｕｌｔｉ−Ｄｉｒｅｃｔｉｏｎａｌ  Ｅｘｔｅｎｓｉｂｌｅ  Ｓｉｄｅ  Ｐａｎｅｌｓ」（１９９３年１１月１９日出願、Ｍｉｇｕｅｌ  Ｒｏｂｌｅｓら）に詳細が記載され、参照により本明細書に組み込まれる。サイドパネルで使用するための好適な材料として、織布ウェブ、不織布ウェブ、高分子フィルムを含むフィルム、エラストマーフィルム、フォーム、フィルムラミネートを含むラミネート、不織布ラミネート、又はゼロ歪ラミネート、成形フィルム、エラストマー、複合材料、弾性ストランド、構造的に弾性様のフィルム（ＳＥＬＦ）ウェブ又は以下に記載の材料の任意の組み合わせが挙げられる。サイドパネルは、当該技術分野において既知の任意の手段によって、収容アセンブリ２２に接合されてもよく、例えば、サイドパネルは、粘着剤、熱結合、圧力結合、超音波結合、動的機械的結合、又は当該技術分野において既知の任意の他の方法を使用して、収容アセンブリ２２に連続的又は断続的に結合されてもよい。
【００６４】
おむつ２０が、広範囲の着用者に適合することが可能である、プルオンとして又は従来のおむつとして効果的に機能するためには、第１及び第２のサイドパネル６２ａ、６２ｂ及び／又は第３及び第４のサイドパネル３８ａ、３８ｂは、腰部機構３４と連結して、所定の腰部輪状周囲で一定範囲内の維持力を提供しなければならないことが発見された。（本明細書に使用される場合、用語「維持力」は、使用中に緩み又はたるみを削減するように、着用者の腰部及び臀部に対しておむつを保持する、内向きに向けられた力を意味する。維持力はしばしば、維持力が測定される長さまで材料を伸張するために必要な力未満である。用語「腰部輪状周囲」及び「臀部輪状周囲」は、従来の構成において、着用者に装着される前、又は着用者に適合された後のいずれかで、パンツ様の物品に完全に構築された後の腰部の周囲を意味する。幾つかの実施形態において、緩やかな状態（即ち、張力が印加されていない）におけるおむつ２０の腰部輪状周囲は、寸法範囲の最も小柄な着用者の腰部よりも小さい。同様に、完全に伸張された状態のおむつ２０の腰部輪状周囲は、特定の寸法範囲の最も大柄な予定着用者の腰部の周囲より大きい場合がある。（本明細書に使用する時、用語「完全に伸張」は、おむつの腰部輪が、その弾性限度まで伸張されている状態を意味し、その時点では、それ以上力を印加すると、材料の少なくとも一部分の構造を変形、破壊、ないしは別の方法で変えることになる。あるいは、用語「完全に伸張」は、サイドパネルが、それ以上の伸張がそのような製品のために容認できなくなる、概して、３５００グラムを超える程度まで、伸張されている場合のおむつの腰部を意味する。これによって、おむつが、任意の寸法範囲の全ての着用者に適切に適合し、プルオン／オフ物品として適切に機能することを確実にする。
【００６５】
あるいは、本開示のおむつの伸張特徴は、所定の復元力を提供する一方で、サイドパネル６２及び／又はサイドパネル３８などのサイドパネルが提供する、拡張量という点で定義することができる。（本明細書で使用する時、用語「復元力」は、応力／歪グラフの復元又は弛緩曲線から取得できる、負荷を意味するために使用される。）その上、それぞれのサイドパネルのエラストマー部分は、３０００グラム以下の伸長力が印加されると、約１５０％〜約３００％延びることが可能であってもよい。（上記のパーセントは、拡張された長さから弛緩状態の長さを減算し、その数字を弛緩状態の長さで除算し、その結果を１００％で乗算して計算される。）幾つかの実施形態において、それぞれのサイドパネルは、横方向中心線１０２に概して平行で、使用中にサイドパネルに印加される力の方向に典型的に対応する、軸に沿って測定されたサイドパネルのエラストマー性部分の長さとして定義される、弛緩状態の長さを有するエラストマー部分を有する。
【００６６】
一実施形態において、第１及び第２のサイドパネル６２ａ、６２ｂは、横方向に少なくともエラストマー性又は弾性的延伸性があり、プルオン物品として効果的に機能し、広範囲の使用者寸法に適合するために必要な伸張特徴を提供する。用語「エラストマー」又は「弾性的延伸性」は、材料に力が印加されると少なくとも１方向に延び、力が解放された後、ほぼその本来の寸法に戻る材料を意味する。「横方向」は、おむつの横断方向中心線１０２に平行な方向として定義される。その上、第３及び第４のサイドパネル３８ａ、３８ｂが利用される場合、少なくとも部分的に横方向にエラストマー性又は弾性的延伸性があってもよい。幾つかの実施形態において、１対のサイドパネルだけは、少なくとも部分的に横方向にエラストマー性又は弾性的延伸性がある。例えば、一実施形態において、第３及び第４のサイドパネル、３８、３８ｂは弾性的延伸性があり、一方で、第１及び第２のサイドパネル６２ａ、６２ｂは弾性的延伸性がない。別の実施形態では、第３及び第４のサイドパネル３８、３８ｂは弾性的延伸性がなく、一方で、第１及び第２のサイドパネル６２ａ、６２ｂは弾性的延伸性がある。更に別の実施形態では、第３及び第４のサイドパネル３８、３８ｂは弾性的延伸性があり、第１及び第２のサイドパネル６２ａ、６２ｂも又弾性的延伸性がある。概して、エラストマー性サイドパネルは、おむつが着用者に非対称的に適合する場合であっても、おむつが着用中に自動調整して改善された適合に到達することができるため、おむつのより効果的な適用も提供する。その上、弾性的延伸性サイドパネルは、着用者の腰部にわたって改善された動的適合を提供し、緩み又はたるみの可能性を削減し、着用時間中おむつの適合を維持する。
【００６７】
サイドパネルの使用に特に好適であることが発見された１つの弾性的延伸性材料は、エラストマーフィルムに接合された少なくとも１つのカバー層を含むラミネートである。（本明細書で使用する時、用語「カバー層」は、任意の織布又は不織布材を意味する。）好適なカバー層の例は、トップシート２４及びバックシート２６に関して上記に記載される。他の好適なカバー層材として、Ｆｉｂｅｒｗｅｂ  Ｎｏｒｔｈ  Ａｍｅｒｉｃａ（Ｓｉｍｐｓｏｎｖｉｌｌｅ，Ｓ．Ｃ．）から市販されているＦｉｂｅｒｗｅｂ  Ｅ００４２０３、並びにＩｎｔｅｒｎａｔｉｏｎａｌ  Ｐａｐｅｒ  ＣｏｍｐａｎｙのＶｅｒａｔｅｃ  Ｎｏｎｗｏｖｅｎ  Ｇｒｏｕｐ（Ｗａｌｐｏｌｅ，Ｗａｓｈ．）から市販されているＶｅｒａｔｅｃ  ７ｐｔ．、Ｐ−８及びＰ−１４などの不織布が挙げられる。好適なエラストマーフィルムの例として、Ｃｌｏｐａｙ  Ｃｏｒｐｏｒａｔｉｏｎ（Ｃｉｎｃｉｎｎａｔｉ，Ｏｈｉｏ）から市販されているＣｌｏｐａｙ  ２８７０、スチレンブロックコポリマー、及びＥｘｘｏｎ  Ｃｈｅｍｉｃａｌ  Ｃｏｍｐａｎｙ（Ｌａｋｅ  Ｚｕｒｉｃｈ，Ｉｌｌ）から市販されているＥｘｘｏｎ  ５５０が挙げられる。カバー層とカバー層を接合するための好適な合成フォームの例として、ａ）約１．２７ｍｍ（５０ｍｉｌｓ）のキャリパー及び立方ｃｍあたり約０．２１４グラム（立方フィートあたり１３．３ポンド）の密度を有することが好ましい、Ｆｕｌｆｌｅｘ  Ｉｎｃ．（Ｍｉｄｄｌｅｔｏｗｎ，Ｒ．Ｉ．）から市販されている、又はＬｕｄｌｏｗ  Ｃｏｍｐｏｓｉｔｅｓ  Ｃｏｒｐｏｒａｔｉｏｎ（Ｆｒｅｅｍｏｎｔ，Ｏｈｉｏ）から商品名Ｂａｂｙ  Ｆｏａｍで市販されている架橋結合された天然ゴムフォーム、又はｂ）ブリジストン（日本、横浜）から商品名Ｂｒｉｄｇｅｓｔｏｎｅ  ＳＧ  Ｐｏｌｙｕｒｅｔｈａｎｅ  Ｆｏａｍとして市販されているような、約２．０３ｍｍ（８０ｍｉｌｓ）のキャリパー及び立方ｃｍあたり０．０３３グラム（立方フィートあたり２．０６ポンド）の密度を有する、ポリウレタンフォームが挙げられる。サイドパネルとして、又はこの中で使用するために好適な材料として、上記のような構造的に弾性様のフィルム（ＳＥＬＦ）ウェブ、天然ゴムストランド、天然ゴムフォーム、エラストマースクリム、織布又は不織布エラストマーウェブ、エラストマー不織布ラミネートなどのエラストマー複合材料、ゼロ歪ストレッチラミネート、予歪ストレッチラミネートなどが挙げられる。上記で参照した米国特許第５，１５１，０９２号（１９９２年９月２９日にＢｕｅｌｌらに付与）は、好適なゼロ歪ストレッチラミネート及び予歪されたストレッチラミネートを記載し、参照により本明細書に組み込まれる。
【００６８】
代替実施形態において、第１及び第２のサイドパネル６２ａ、６２ｂ及び／又は第３及び第４のサイドパネル３８ａ、３８ｂなどのサイドパネルは、エラストマースクリム材料を含むラミネートを含む場合がある。そのような一実施形態において、サイドパネルは、不織布、フィルム、スクリム、ラミネート又はこれらの任意の組み合わせの間に積層化されたスクリムのラミネートを含む場合がある。好適な不織布として、上記のもの、並びに、Ｉｎｔｅｒｎａｔｉｏｎａｌ  Ｐａｐｅｒ  ＣｏｍｐａｎｙのＶｅｒａｔｅｃ  Ｎｏｎｗｏｖｅｎ  Ｇｒｏｕｐ（Ｗａｌｐｏｌｅ，Ｗａｓｈ．）から市販されているカードポリプロピレン、ＲＭＳ  ６６２６５、及びドイツのＣｏｒｏｖｉｎ  ＧｍｂＨから商品名ＣＯＲＯＬＩＮＤで市販されているスパンボンドポリエチレンが挙げられる。好適なスクリムは、Ｃｏｎｗｅｄ  Ｐｌａｓｔｉｃｓから市販されている商品名ＲＥＢＯＵＮＤ  ＥＬＡＳＴＯＭＥＲＩＣ  ＮＥＴＴＩＮＧがあり、縦方向及び横断方向に延びる２．５４ｃｍ（インチ）あたり２〜２０のストランドを有する。更に別の実施形態では、サイドパネル６２ａ、６２ｂ及び／又は第３及び第４のサイドパネル３８ａ、３８ｂは、Ｔｒｅｄｅｇａｒ  Ｆｉｌｍ  Ｐｒｏｄｕｃｔｓ，Ｉｎｃ．（Ｔｅｒｒｅ  Ｈａｕｔｅ，Ｉｎｄ）によって製造されているＸ−１５３０１などの成形フィルムを含むラミネートを含むことができる。
【００６９】
サイドパネルの１つの例示的な材料は、５０％〜２００％の比較的平坦な応力−歪曲線を有して、例えば、乳児の製品適合を維持し、おむつを比較的容易に適合させる。特に優れて機能する１つの材料は、Ｃｏｎｗｅｄ  Ｐｌａｓｔｉｃｓのエラストマースクリム（ＴＮ２５１０）を用いて作製されたラミネートである。ラミネートは、典型的に、スクリムを含めて、３〜５層から構成される。スクリム以外の層は、不織布、フィルム又は有孔フィルムを含んでもよい。ラミネートは、ラミネートの層を接合するために、当該技術分野において既知の任意の手段によって結合されてもよい。好適な結合手段の例として、熱、圧力、超音波、接着剤、粘着剤及び共押出が挙げられるが、これらに限定されない。
【００７０】
サイドパネル３８及び／又はサイドパネル６２は、着用者の腰部の少なくとも一部分を包囲することが好ましく、腰部開口部の一部分を形成する。２対のサイドパネルを有する実施形態の場合、第１及び第２のサイドパネル６２ａ、６２ｂなどの第１の対の横方向に対向するサイドパネルは、例えば、背側腰部区域４４などの第１の腰部区域にある収容アセンブリ２２の横方向に対向する側縁部から、着用者の臀部を越えて延びる。第３及び第４のサイドパネル３８ａ、３８ｂなどの第２の対の横方向に対向するサイドパネルは、例えば、おむつ２０の前側腰部区域４６などの長手方向に対向する腰部区域にある収容アセンブリ２２の横方向に対向する側縁部から延びる。プルオン構成のおむつ２０の部分図を例示する、図７に示されるように、１対のサイドパネル３８及び６２は、合わせて締結され、閉じた腰部周囲７１及び１対の閉じた脚部開口部７２を形成してもよい。１対のサイドパネルを有する実施形態の場合、サイドパネルは、第１の腰部区域の収容アセンブリ２２の横方向に対向する側縁部５０に付着されており、ここから、着用者の臀部を越えて、おむつの長手方向に対向する腰部区域の収容アセンブリ２２の対応する側縁部５０まで延び、ここでサイドパネルが収容アセンブリ２２に締結されて閉じた腰部周囲７１を形成する。図８に示されるように、例えば、第１のサイドパネル６２ａは、側縁部５０を越えて延び、閉じた腰部周囲７１を形成するように、前側腰部区域４６の一部分に付着されている。
【００７１】
一実施形態において、第１及び第２のサイドパネル６２ａ、６２ｂなどの少なくとも１対のサイドパネルは、締結部材２０２の横方向に外向きに位置する１つ以上の係合部材に加えて、解放式結合を含む場合がある。図７は、１つの非限定的な実施形態による、解放式結合３５を有するおむつ２０の一部分を示す。解放式結合は、サイドパネルに印加された力を実質的にサイドパネルの長手方向の長さ全体に分散することを助け、それによって、サイドパネルの縛り及び皮膚の跡など、不必要な効果の可能性を削減する。おむつ２０は、任意の数の解放式結合３５を有することができる。図７の実施形態は、２つの円状解放式結合３５を示す。他の実施形態は、これより多い又は少ない、類似又は異なる形状の解放式結合を有する場合がある。例えば、幾つかの実施形態において、解放式結合３５は、ストリップ又は一連のストリップに配置される場合がある。解放式結合３５は、例えば、他の部材に対してサイドパネルの位置を維持することを助ける、半永久的な結合の場合があり、また解放式結合が解放されるまで、おむつをプルオン構成に維持することを助ける場合がある。解放式結合３５は、サイドパネルに関して上述した結合手段を含むがこれに限定されない、当該技術分野において既知である任意の結合手段によって形成されてもよい。これらの解放式結合３５は、結合が形成されていた間の基材に損傷を与えることなく、剥離するように、形成されてもよい。別の方法としては、解放式結合３５は、分離された時、結合が形成されていた基材のうちの１つ又は両方に制御された局部的損傷を生じるように形成されてもよい。
【００７２】
図８は、１つの非限定的実施形態による、力分散部分８０を備えるサイドパネルを示す。示されるように、力分散部分８０は、例えば、第１のサイドパネル６２ａの一部分であってもよい。力分散部分８０は、使用中にサイドパネルの締結部分６２ａ上にかかる力を分散することを助ける、第１のサイドパネル６２ａの比較的剛性及び／又は非延伸性部分であってもよい。力をサイドパネルの縁に分散することによって、係合部材２０２上に集中された歪は、削減又は排除される場合があり、使用者の快適性が向上する場合がある。力分散部分８０は、様々な技術を使用して実装されてもよい。例えば、力分散部分８０は、第１のサイドパネル６２の比較的剛性のある一部分であってもよい。幾つかの実施形態において、力分散部分８０は、第１のサイドパネル６２ａに付着、統合、一体化、ないしは別の方法で接合されてもよい、力分散部材８１を備える場合がある。力分散部材８１は、例えば、フィルム、フォーム、構造化不織布などのような、任意の好適な剛性、半剛性、又は非延伸性材料から製造されてもよい。
【００７３】
図９は、単一の対のパネル、例えば、第３及び第４のパネル３８ａ、３８ｂを含むおむつの実施形態を示す。示されるように、第３のサイドパネル３８ａは、側縁部５０を越えて延び、閉じた腰部周囲を形成するように、背側腰部区域４４の一部分に付着する。その上、係合部材２０２は、第３のサイドパネル３８ａ又は背側腰部区域４４のいずれかに付着されていてもよい。この実施形態において、複数個の締結部材の特定の形成によって、サイドパネルの長手方向長さ全体に力を分散する。遠位締結具２０２は、サイドパネルの中心部分に関連する力を担うことができるように、配置される。１対の近位締結具２０２は、遠位締結具２０２の内向きに横方向に配置され、サイドパネルの長手方向遠位及び長手方向近位部分に関連する力を担うことができるように、配置される。そのような設計は、製品の適用及び着用に関連する力をサイドパネルの表面全体に実質的に均一に分散し、それによって、サイドパネルに関連して皮膚の跡ができる可能性を削減する。理解されるように、解放式結合及び／又は力分散部分は、この構成を用いて実装されてもよい。
【００７４】
幾つかの実施形態において、閉じた腰部周囲は、異なる寸法の着用者に対応するように、ないしは別の方法でおむつ２０の快適性及び／又は適合性を変化させるように調整可能であってもよい。図１０は、調整可能な締結装置１８０を含むおむつの実施形態を示す。締結装置１８０は、締め付けの程度を変える（即ち、腰部輪状周囲を変更する）ことを可能にし、多様な形状及び構成の補完的又は相互作用型係合及び／又はランディング部材を含む場合がある。例えば、第１の閉鎖部２３０は、第１のサイドパネル６２ａに付着されている場合があり、係合部材２３１〜２３３は、前側腰部区域４６上に位置する場合がある。３つの係合部材２３１〜２３３が示されているが、任意の好適な数の補完的係合部材が利用されてもよいことが理解される。示される実施形態において、第１のサイドパネル６２ａが第１の係合部材２３１に近接して固定される場合、閉じた腰部周囲は、比較的大きい。第１のサイドパネル６２ａ’が第２の補完的閉鎖部２３２に固定されると、腰部輪状周囲は、第１の位置に比較して減少し、それによって、締め付けを増加させる。第１のサイドパネル６２ａ”が第３の係合部材２３３に固定されると、腰部輪状周囲は比較的小さい。３つの位置の増分可能な快適性が示されるが、様々な実施形態において、これより大きい又は少ない位置が実装されてもよいことが理解される。
【００７５】
図１１Ａ〜１１Ｃは、１つの非限定的実施形態による、永久的なシーム構成の段階を示す。図１１Ａに示されるように、第３のサイドパネル３８ａは、永久シーム３００にある第１のサイドパネル６２ａに接合、又は一体化される場合がある。永久シーム３００は、使用者がそのシームで、又はこれに隣接して２つのパネルを分離することを可能にするように、壊れやすい様式に製作される場合がある。第１のサイドパネル６２ａなどのパネルのうちの１つは、係合部材２０２を含むフラップ３０２を含む場合がある。フラップ３０２は、タブ、ウィング、又は他の折り畳み可能な部材など、任意の好適な構成であってもよい。第３のサイドパネル６８ａなどの他のサイドパネルも係合部材２０２を含む場合がある。示されるように、幾つかの実施形態において、第３のサイドパネル６８ａは、寸法調整を可能にするために、複数個の係合部材２０２を含むことができる。そのような実施形態において、係合部材２０２は、対向するサイドパネルの対面する表面の一部分上に配置された、又はこれを形成する、補完的ランディング、噛合部材と係合する場合がある。別の方法として、非係合層又は表面は、サイドシームが破壊され、締結具がおむつの別の部分、ランディング部材２０４に締結されるまで、非係合状態に締結具を維持するように、係合部材２０２と基底のサイドパネルとの間に配置されてもよい。更に、示されてはいないが、様々な実施形態は、様々な構成のランディング部材を含むことができる。サイドパネルが永久シーム３００で接合されると、おむつは「プルオン」構成にある。図１１Ｂに示されるように、永久シーム３００は、矢印３０４によって示される方向に引っ張ることによって、開くことができる。様々な実施形態において、永久シーム３００は、おむつが着用される前、又はおむつが着用者の臀部周囲に置かれた後のいずれかに、開かれる場合がある。図１１Ｃに示されるように、永久シーム３００が完全に開いた後、フラップ２０２上の係合部材２０２は、第３のサイドパネル３８ａに締結される場合があり、示される実施形態において、第３のサイドパネル３８ａ上の係合部材２０２は、フラップ３０２に締結される場合がある。
【００７６】
図１２Ａ〜Ｃに示されるように、締結装置２００の第１及び第２の係合部材２０２はそれぞれ、２つ以上の係合要素を含むことができる。その上、係合要素２０６は、寸法及び／又は形状が類似又は異なる場合がある。幾つかの実施形態において、複数個の係合部材２０２は、単一角度の係合部材２０２に関して上述した利益を獲得するように配置されなければならない。複数の部材がある実施形態の「閉鎖部材の長軸Ａ」は、それぞれの係合部材２０２の横方向に最も広い点の間に描かれる。閉鎖部材の主軸Ａは、吸収物品の長手方向中心線１００に平行ではない場合がある。幾つかの実施形態において、閉鎖部材の主軸Ａは、吸収性部材の横方向中心線１０２から離れて、背側腰部区域４４の端縁部５２に向かって移動すると、長手方向の中心線１００に向かって集束する（平坦な構成にある場合）。
【００７７】
様々な締結要素、例えば、係合部材２０２及び／又はランディング部材２０４などは、タブの一部分、サイドパネルの一部分、及び／又は収容アセンブリ２２の一部分で一体に形成されてもよく、あるいは、締結要素は、タブ、サイドパネル又は吸収アセンブリに接合された独立した部材から形成されてもよい。例えば、締結要素をタブ、収容アセンブリ及び／又はサイドパネルに接合するための手段として、接着剤、粘着剤、加熱、加圧、超音波、機械的結合又はこれらあるいは他の既知の結合手段の任意の組み合わせが挙げられるが、これらに限定されない。例えば、係合部材２０２は、接着剤並びに機械的結合を用いて、タブ部材、収容アセンブリ２２、又はサイドパネルに接合される場合がある。機械的結合、又は何らかの形態の融合が単独で使用されてもよく、又は他の結合手段と組み合わされてもよい。（本明細書で使用される時、用語「機械的結合」は、圧力、超音波、熱、レーザーエネルギー、又は要素を機械的に接合する任意の形態のエネルギーの手段によって形成される結合を意味する。）一実施形態において、接着剤結合は、係合部材２０２のうちの１つ以上を吸収性物品に接合するために使用され、機械的結合によって補完される。
【００７８】
機械的結合が、単独又は他の結合手段と組み合わせて、係合部材２０２を吸収性物品の要素に接合するために使用される場合、機械的結合パターンは、係合部材２０２とそれが接合される要素との間の結合の強度、並びに係合部材２０２の締結特徴に影響を与えることができることが発見されている。機械的結合は、典型的に、係合部材２０２の係合要素２０６のうちの少なくとも幾つかを破損し、部材の締結性能に何らかの変化を発生させる。様々な種類の機械的結合２１１を含む結合パターンの例は、図１３Ａ〜Ｃに示される。図１３Ａ〜Ｃに示される結合パターンは、概して、係合要素２０６に与える機械的結合２１１、したがって、係合構成の全体的な締結性能の影響を最小限にしながら、係合部材２０２をそれが結合されている要素に固定して接合する際に効果的である。この種の結合及び締結性能は、係合要素２０６が使用時にサイドパネルの大部分を制御する、おむつ２０などの製品にとって重要である。サイドパネルのこの制御の影響は、着用者の運動によって提供される剪断及び剥離力が、係合部材２０２をサイドパネル又はそれが接合されるタブから分離する傾向にあることである。そのような力は、係合部材２０２をその補完的ランディング部材２０４から離脱する場合もある。
【００７９】
幾つかの実施形態において、機械的結合２１１は、中央区域２１８の面積の約２０％未満、又は約１０％未満、又は約７％未満を占有する場合がある。これによって、機械的結合２１１が、あまりに多くの係合要素２０６を破損しないことを確実にし、したがって、係合部材２０２又は締結装置２００全体の効果を削減しない。結合によって占有されるパーセントは、顕微鏡下で係合部材２０２の代表的検体を検査することによって測定される。検体は、係合部材２０６が延びるサイドの直接上部から顕微鏡下で観察される。機械的結合２１１のそれぞれの平面図の面積が測定された。結合の面積の合計は、検体の面積で除算される。結果はパーセントで表現されている。これは、結合によって占有される面積のパーセントである。
【００８０】
代理人整理番号１１５７３Ｐ及び１１５７５Ｐ（２０１０年１月２０日に出願、発明人Ｇａｒｙ  Ｄｅａｎ  ＬａＶｏｎ）は一般に、本出願に記載の実施形態において実装されてもよい、様々な容認可能な製品機能を開示する。具体的には、上記の実施形態は、必要に応じて、代理人整理番号１１５７３Ｐ及び１１５７５Ｐに記載されるように、第１の締結部材、第２の締結部材、非係合帯、及び分離帯を含むことができる。その上、上記の実施形態は、必要に応じて、代理人整理番号１１５７３Ｐ及び１１５７５Ｐに記載されるように、オーバーラップシーム及び／又はフランジシームを含むことができる。
【００８１】
製造方法
一実施形態において、横方向に延びる折り畳み線に沿って物品を折り畳むための折り畳みアセンブリシステムを提供する。システムは、分離した吸収性物品を受容するための外表面を有し、例えば、真空ドラムなどの第１の真空搬送を含むことができる。第１の真空搬送は、分離した吸収性物品を流れ方向に移送することができる。物品は、前側腰部区域及び股区域の前側半分、即ち、横方向中心線と前側腰部区域との間に配置された股区域の部分を備える先頭半分と、背側腰部区域及び股区域の後側半分、即ち、横方向中心線と後側腰部区域との間に配置された股区域の部分を備える終了半分を有する。システムは、第１の真空搬送に隣接して配置された、例えば、第２の真空ドラムなどの第２の真空搬送も含むことができる。第２の真空搬送は、第１の真空搬送から、物品の先頭半分の少なくとも一部分を受容するように構成されてもよい。第２の真空搬送は、吸収性物品の先頭半分の少なくとも部分が、第１の真空搬送から、第２の真空搬送へ転送され、第２の真空搬送の表面上に保持されるように、剥離力を印加するように構成されてもよい。システムは、第１及び第２の真空搬送の近接に配置された、例えば、真空コンベヤーなどの第３の真空搬送を更に含むことができる。第３の真空搬送は、第３の真空搬送の表面を、第１の速度及び第２の速度で、並びに第１の方向において及び第２の方向において、移動するための駆動機構を含むことができる。
【００８２】
製造方法の一実施形態において、複数個の相互接続したバックシートを含む連続的ウェブは、一連の横方向に対向する対の分離したサイドパネルと組み合わされる。サイドパネルは、弾性的延伸性のある材料を含む場合があり、サイドパネルの表面上に配置された再締結可能な締結部材を追加で備える場合がある。相互接続したバックシートの連続的ウェブは、複数個の相互接続したトップシートを含む連続的ウェブとその後接合される。分離した吸収性コアは、連続的バックシートのウェブと連続的トップシートのウェブとの間に配置され、それによって、複数個の相互接続した吸収性収容アセンブリを形成する。ウェブは、複数個の分離した吸収性物品を形成するように、切断される。分離した吸収性物品は、第１の真空搬送６３０の外表面上に置かれる。別の方法としては、相互接続した吸収性物品の連続的ウェブは、ウェブを分離した吸収性物品に切断する前に、第１の真空搬送上に置かれてもよい。第１の真空搬送６３０は、図１４に示されるような真空ドラムの形態、あるいは、別の方法としては、エンドレスループに構成された移動可能な小孔のある真空コンベヤーベルトの形態であってもよい。物品は、第１の真空搬送６３０の表面に沿って、第２の真空搬送６４５に向かう方向で移送される。第２の真空搬送６４５は、図１４に示される真空ドラムの形態であってもよく、あるいは、別の方法としては、エンドレスループに構成された移動可能な小孔のある真空コンベヤーベルトの形態であってもよい。前側腰部区域４６及び股区域４８の前半分を含む吸収性物品の前半分の一部分は、第１の真空搬送６３０から、第２の真空搬送６４５に転送される。折り畳みクランプ（表示せず）は、横中心線１０２で、又は隣接して、第１の真空搬送６３０と接触状態に股区域４８を保つので、それによって、第１の真空搬送６３０の表面と接触状態に股区域４８の後側半分及び後側腰部区域４４を含む物品の終了半分を維持することを助ける。移送点の下流の第１の真空搬送６３０及び第２の真空搬送６４５の表面は、相互に相違する方向に移動している。物品の先頭半分は、第３の真空搬送６７０に転送されるまで、第２の真空搬送の表面に沿って移送される。第３の真空搬送及び第２の真空搬送の表面は、相違する。折り畳みクランプは、股区域を第１の真空搬送と接触状態に保つことを助けるだけでなく、物品が２つに折り畳まれる際に緊張状態に保つことを助ける。物品の先頭半分は、第３の真空搬送の表面に沿って移動すると、物品の終了半分は、第１の真空搬送に沿って移動するので、それによって、２つに折り畳まれた吸収性物品を形成する。この点で、第３の真空搬送の表面及び第１の真空搬送の表面は、相違方向に移動している。米国特許公開第２００９／００９８９９５（Ａ１）号、名称「Ｓｙｓｔｅｍ  ｆｏｒ  Ｂｉｆｏｌｄｉｎｇ  ａｎ  Ａｂｓｏｒｂｅｎｔ  Ａｒｔｉｃｌｅ」は概して、上記及び本明細書の図３５に記載のようにプロセスを実行するための様々な許容可能な実施形態を開示する。より具体的には、米国特許公開第２００９／００９８９９５（Ａ１）号に記載の第１の真空搬送（折り畳みドラム）、第２の真空搬送（剥離ロール）、第３の真空搬送（折り畳みコンベヤー）は、本明��書のプロセスにおいて使用されてもよい。その上、米国特許公開第２００８／００８３４８９号及び米国特許第５，７７９，８３１号は、概して、代替プロセス（上記及び上記参照のプロセスに対する）を実行するための様々な許容可能な実施形態を開示する。より具体的には、米国特許公開第２００８／００８３４８９号及び米国特許第５，７７９，８３１号に開示される処理ホイール、処理ステーション（折り畳み装置）、グリッパー及びシーラー（サイドパネル折り畳み及び縫合）は、本明細書のプロセスにおいて使用されてもよい。代理人整理番号１１５７３Ｐ及び１１５７５Ｐ（２０１０年１月２０日出願、発明人Ｇａｒｙ  Ｄｅａｎ  ＬａＶｏｎ）も概して、代替プロセス（上記及び上記参照のプロセスに対する）を実行するための様々な容認可能な実施形態を開示する。
【００８３】
後側腰部区域を含む吸収性物品の終了半分は、その上に配置される再締結可能な締結部材を有するサイドパネルを含むことができる。サイドパネルは、第１の真空搬送によって生じる真空によって、定位置に保たれる。物品が２つに折り畳まれた後、再締結可能な締結部材を含む部分などのサイドパネルの一部分は、横方向に内向きに折り畳まれて、後側腰部区域に配置された締結部材を吸収性物品の前側腰部区域と係合することができる。サイドパネルは、真空ツイストベルトなどの第４の真空搬送の手段によって、横方向に内向きに折り畳まれてもよく、あるいは、別の方法としては、サイドパネルは、折り畳みボード又は当該技術分野において既知の他の手段によって、横方向に内向きに折り畳まれてもよい。別の実施形態において、サイドパネルは、第１の真空搬送の一部分上に配置される折り畳み機構によって折り畳まれてもよい。
【００８４】
折り畳まれた後、１つ以上の解放式結合は、前側腰部区域の一部分を背側腰部区域の一部分に接合して形成される場合がある。結合は、本明細書に前述されたいずれかの手段によって形成されてもよい。
【００８５】
本明細書に開示した寸法及び値は、記述された正確な数値に厳しく限定されるものと理解すべきでない。むしろ、特に言及しない限り、そのようなそれぞれの寸法は、記述された値と、その値の周辺の機能的に同等の範囲との両方を意味することを意図する。例えば、「４０ｍｍ」として開示された寸法は、「約４０ｍｍ」を意味することを意図する。
【００８６】
発明を実施するための形態の中で引用された全ての文献は、関連部分において、参照によってそれらの全体が本明細書に組み込まれる。いかなる文献の引用も、それが本開示に関する先行技術であることを承認するものとして解釈されるべきでない。本開示における用語の任意の意味又は定義が、参照として組み込まれた文書における用語の任意の意味又は定義と相反する限り、本開示における用語に指定された意味又は定義に準拠するものとする。
【００８７】
相互参照される又は関連するあらゆる特許又は出願書類を含め、本明細書において引用される全ての文献は、明示的に除外ないしは制限されない限り、その全体を参考として本明細書に組み込まれる。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する又は開示することを認めるものではない。更には、本文書における用語のいずれかの意味又は定義が、援用文献における同一の用語のいずれかの意味又は定義と相反する限りにおいて、本文書においてその用語に与えられた意味又は定義を優先するものとする。
【００８８】
本発明の特定の諸実施形態を図示し、記載したが、本発明の趣旨及び範囲から逸脱することなく他の様々な変更及び修正を実施できることが当業者には自明である。したがって、本発明の範囲内にあるそのような全ての変更及び修正を添付の「特許請求の範囲」で扱うものとする。
【図１】
2013517105.tif 000003
【図２】
2013517105.tif 000004
【図３】
2013517105.tif 000005
【図４】
2013517105.tif 000006
【図５】
2013517105.tif 000007
【図６Ａ】
2013517105.tif 000008
【図６Ｂ】
2013517105.tif 000009
【図６Ｃ】
2013517105.tif 000010
【図６Ｄ】
2013517105.tif 000011
【図６Ｅ】
2013517105.tif 000012
【図７】
2013517105.tif 000013
【図８】
2013517105.tif 000014
【図９】
2013517105.tif 000015
【図１０】
2013517105.tif 000016
【図１１Ａ】
2013517105.tif 000017
【図１１Ｂ】
2013517105.tif 000018
【図１１Ｃ】
2013517105.tif 000019
【図１２Ａ】
2013517105.tif 000020
【図１２Ｂ】
2013517105.tif 000021
【図１２Ｃ】
2013517105.tif 000022
【図１３Ａ】
2013517105.tif 000023
【図１３Ｂ】
2013517105.tif 000024
【図１３Ｃ】
2013517105.tif 000025
【図１４】
2013517105.tif 000026
【国際調査報告】
2013517105.tif 000027
2013517105.tif 000028
2013517105.tif 000029